(57)【要約】【課題】撮像画像中の所望部分を切抜いたり、切抜いた画像を他の画像に貼り付けるのに好適な撮像装置および画像加工方法の提供。【解決手段】 本発明の撮像装置および画像加工方法によれば、（複数の）マスクパターンを登録しておき、登録した（複数の）マスクパターンの中から所望のパターンを選び、そのパターンを用いて撮影画像の一部を切り抜いて切抜き画像とし（図６（Ｂ））、記憶画像（図６（Ａ））に合成することができる（図６（Ｃ））。また、記憶されている撮影画像から一部の像または全部の像を抽出してマスクパターンとして登録することもできる。【選択図】図６
2004140873.tif 000002
【特許請求の範囲】
【請求項１】
　被写体を撮像する撮像手段と、
　前記撮像手段により撮像された撮像画像と合成するフレーム画像を記憶するフレーム画像記憶手段と、
　前記フレーム画像記憶手段に記憶されているフレーム画像の中から所望のものを再生フレーム画像として再生させるフレーム画像再生手段と、
　前記撮像画像と再生フレーム画像とを合成した合成画像を生成する合成手段と、
　を備えることを特徴とする撮像装置。
【請求項２】
　前記撮像手段により撮像された撮像画像を記憶する撮像画像記憶手段と、前記撮像画像記憶手段に記憶されている撮像画像のなかから所望のものを再生画像として再生させる撮像再生手段とを備え、前記合成手段は前記撮像画像再生手段により再生された再生撮像画像と再生フレーム画像とを合成した合成画像を生成することを特徴とする請求項１記載の撮像装置。
【請求項３】
　前記合成画像を表示する表示手段をさらに備えることを特徴とする請求項１または２に記載の撮像装置。
【請求項４】
　前記合成画像における前記撮像画像の相対的な位置を調整する調整手段をさらに備えることを特徴とする請求項２または３に記載の撮像装置。
【請求項５】
　前記撮像画像をマスクするマスク画像を記憶するマスク画像記憶手段と、前記撮像画像と前記マスク画像とを合成して、前記フレーム画像を生成する生成手段と、をさらに備えることを特徴とする請求項１乃至４のいずれか１項に記載の撮像装置。
【請求項６】
　前記合成画像を記憶する合成画像記憶手段をさらに備えることを特徴とする請求項１乃至５のいずれか１項に記載の撮像装置。
【請求項７】
　被写体を撮像し撮像画像を出力する撮像手段と、
　前記撮像手段から出力された撮像画像を記憶する撮像画像記憶手段と、
　複数のパターンを記憶するパターン記憶手段と、
　前記パターン記憶手段に記憶されている複数のパターンの中から所望のものを選択するパターン選択手段と、
　前記パターン選択手段により選択されたパターンを用いて前記撮像画像記憶手段に記憶されている撮像画像の対応部分を切抜いて切抜き画像を生成する切抜き画像生成手段と、
　前記切抜き画像生成手段により生成された切抜き画像を所望の画像に合成する画像合成手段とを有することを特徴とする撮像装置。
【請求項８】
　被写体を撮像し撮像画像を出力する撮像手段と、
　前記撮像手段から出力された撮像画像を記憶する撮像画像記憶手段と、
　前記撮像画像記憶手段に記憶されている記憶画像からパターンを生成するパターン生成手段と、
　前記パターン生成手段により生成されたパターンを記憶するパターン記憶手段と、
　前記パターン記憶手段に記憶されているパターンを用いて前記撮像画像記憶手段に記憶されている撮像画像の対応部分を切抜いて切抜き画像を生成する切抜き画像生成手段と、
　前記切抜き画像生成手段により生成された切抜き画像を所望の画像に合成する画像合成手段とを有することを特徴とする撮像装置。
【請求項９】
　前記パターン生成手段は、前記撮像画像中の輪郭を抽出することによりパターンを生成することを特徴とする請求項８記載の撮像装置。
【請求項１０】
　撮影距離を指定する指定手段を備え、
　前記パターン生成手段は、前記撮像画像中の前記指定手段により指定された撮影距離に応じた画像部分を抽出することによりパターンを生成することを特徴とする請求項８記載の撮像装置。
【請求項１１】
　前記パターン生成手段は、前記撮像画像を２値化することによりパターンを生成することを特徴とする請求項８記載の撮像装置。
【請求項１２】
　前記パターン生成手段は、撮像画像の輝度成分を演算することによりパターンを生成することを特徴とする請求項８記載の撮像装置。
【請求項１３】
　被写体を撮像する撮像手段と、
　前記撮像手段から出力された撮像画像を記憶する撮像画像記憶手段と、
　描画データを入力する描画データ入力手段と、
　前記描画データ入力手段により入力された描画データからパターンを生成するパターン生成手段と、
　前記パターン生成手段により生成されたパターンを記憶するパターン記憶手段と、
　前記パターン生成手段に記憶されているパターンを用いて前記撮像画像記憶手段に記憶されている撮像画像の対応部分を切抜いて切抜き画像を生成する切抜き画像生成手段と、
　前記切抜き画像生成手段により生成された切抜き画像を所望の画像に合成する画像合成手段とを有することを特徴とする撮像装置。
【請求項１４】
　前記描画手段は、カーソルまたはポインティングデバイスを用いて描画することを特徴とする請求項１３記載の撮像装置。
【請求項１５】
　被写体を撮像し撮像画像を出力する撮像手段と、
　前記撮像手段から出力される撮像動画像を表示する表示手段と、
　画像切抜きパターンを記憶する画像切抜きパターン記憶手段と、
　前記画像切抜きパターン記憶手段に記憶されている画像切抜きパターンを前記表示装置に表示されている撮像動画像上に合成して表示させる表示制御手段と、
　キー入力手段と、
　前記撮像手段から出力される撮像静止画像を記憶する撮像静止画像記憶手段と、
　前記表示制御手段により前記表示手段に撮像動画像および切抜き画像パターンが表示されている間に前記キー入力手段が操作された場合、前記撮像静止画像記憶手段に前記撮像静止画像を記憶させる記憶制御手段と、
　を有することを特徴とする撮像装置。
【請求項１６】
　前記記憶制御手段は、
　前記表示手段に表示されている画像切抜きパターンを用いて前記撮像静止画像の対応部分を切抜いて切抜き静止画像を生成し、この切抜き静止画像を前記撮像静止画像記憶手段に記憶させることを特徴とする請求項１５記載の撮像装置。
【請求項１７】
　さらに、前記撮像静止画像記憶手段に記憶されている撮像静止画像を再生する再生手段と、
　前記画像切抜きパターン記憶手段に記憶されている画像切抜きパターンを用いて前記再生手段により再生された撮像静止画像の対応部分を切抜いて切抜き画像を生成する切抜き画像生成手段と、
　前記切抜き画像生成手段により生成された切抜き画像を所望の画像に合成する画像合成手段と、
　を有することを特徴とする請求項１５記載の撮像装置。
【請求項１８】
　被写体を撮像し撮像画像を出力する撮像手段と、
　前記撮像手段から出力される撮像静止画像を記憶する撮像静止画像記憶手段と、
　前記撮像手段から出力される撮像動画像を表示する表示手段と、
　パターンを記憶するパターン記憶手段と、
　前記パターン記憶手段に記憶されているパターンを用いて前記撮像画像記憶手段に記憶されている撮像画像の対応部分を切抜いて切抜き画像を生成する切抜き画像生成手段と、
　前記切抜き画像生成手段により生成された切抜き画像を前記表示装置に表示されている撮像動画像上に合成して表示させる表示制御手段と、
　キー入力手段と、
　前記表示制御手段により前記表示手段に撮像動画像および切抜き画像が表示されている間に前記キー入力手段が操作された場合、前記撮像静止画像記憶手段に前記撮像静止画像を記憶させる記憶制御手段と、
　を有することを特徴とする撮像装置。
【請求項１９】
　前記記憶制御手段は、前記表示手段に表示されている撮像静止画像および切抜き画像を前記撮像静止画像記憶手段に記憶させることを特徴とする請求項１８記載の撮像装置。
【請求項２０】
　さらに、前記表示制御手段により前記撮像動画像上に表示されている前記切抜き画像を、表示画面内の所望の位置に移動指示する移動指示手段を備えることを特徴とする請求項１８記載の撮像装置。
【請求項２１】
　被写体を撮像し撮像画像を出力する撮像手段と、
　前記撮像手段から出力された撮像画像を記憶する撮像画像記憶手段と、
　前記撮像画像記憶手段に記憶されている撮像画像を表示する表示手段と、
　パターンを記憶するパターン記憶手段と、
　前記パターン記憶手段に記憶されているパターンを前記表示手段に表示されている撮像画像上に表示させる表示制御手段と、
　前記表示制御手段により前記撮像画像上に表示されている前記パターンを、表示画面内の所望の位置に移動させる移動手段と、
　前記移動手段により移動されたパターンを用いて前記撮像画像の対応部分を切抜いて切抜き画像を生成する切抜き画像生成手段と、
　前記切抜き画像生成手段により生成された切抜き画像を所望の画像に合成する画像合成手段と、
　を有することを特徴とする撮像装置。
【請求項２２】
　被写体を撮像して撮像画像を得る工程と、前記撮像画像を記憶する工程と、
　記憶されている撮像画像からパターンを生成する工程と、前記パターンを記憶する工程と、記憶されているパターンを用いて前記記憶されている撮像画像の対応部分を切抜いて切抜き画像を生成する工程と、
　前記切抜き画像を所望の画像に合成する工程とを有することを特徴とする、撮像画像加工方法。
【発明の詳細な説明】
【技術分野】
【０００１】
　この発明は、被写体を撮像する撮像装置および撮像画像加工方法に関し、特にデジタルスチルカメラに適用して好適であるが、これのみに限定されない。
【背景技術】
【０００２】
　近年、ＣＣＤ等の撮像素子で電気信号化した被写体像をデジタルデータ（以下、画像データ）に変換し記録媒体に記録しておき、使用者の所望により画像を再生できるデジタルカメラが開発され、大衆向け画像記録／再生装置およびパーソナルコンピュータ等の画像入力装置として市場に普及しつつある。また、このようなデジタルカメラの多くは撮影時に被写体像を表示すると共に再生時に再生画像を表示する表示装置を備えている。
【発明の開示】
【発明が解決しようとする課題】
【０００３】
　デジタルカメラに記憶されている撮像画像データを加工するためには、撮像画像データをパーソナルコンピュータ等の情報処理装置に記憶させ、記憶させた撮像画像データを画像処理用のアプリケーションプログラムを用いて加工処理を行なっている。
【０００４】
　しかしながら、既存の画像処理用のアプリケーションプログラムを用いて撮像画像データを加工する場合、加工操作が極めて煩雑であり、例えば、撮像画像中の所望部分を切抜いて他の画像に合成する、といったことが簡単にできなかった。
【０００５】
　本発明は、撮像画像中の所望部分を切抜いたり、切抜いた画像を他の画像に貼り付けるのに好適な撮像装置および画像加工方法の提供を目的とする。
【課題を解決するための手段】
【０００６】
　上記の目的を達成するために第１の発明の撮像装置は、被写体を撮像する撮像手段と、撮像手段により撮像された撮像画像と合成するフレーム画像を記憶するフレーム画像記憶手段と、フレーム画像記憶手段に記憶されているフレーム画像の中から所望のものを再生フレーム画像として再生させるフレーム画像再生手段と、撮像画像と再生フレーム画像とを合成した合成画像を生成する合成手段と、を備えることを特徴とする。
【０００７】
　また、上記第１の発明の撮像装置は、撮像手段により撮像された撮像画像を記憶する撮像画像記憶手段と、撮像画像記憶手段に記憶されている撮像画像のなかから所望のものを再生画像として再生させる撮像再生手段とを備え、合成手段は前記撮像画像再生手段により再生された再生撮像画像と再生フレーム画像とを合成した合成画像を生成するように構成してもよい。
【０００８】
　また、上記第１の発明の各撮像装置は、合成画像を表示する表示手段をさらに備えるようにしてもよい。
【０００９】
　また、上記第１の発明の各撮像装置は、合成画像における撮像画像の相対的な位置を調整する調整手段をさらに備えるように構成してもよい。
【００１０】
　また、上記第１の発明の各撮像装置は、撮像画像をマスクするマスク画像を記憶するマスク画像記憶手段と、撮像画像と前記マスク画像とを合成して、フレーム画像を生成する生成手段とをさらに備えるようにしてもよい。
【００１１】
　また、上記第１の発明の各撮像装置は、合成画像を記憶する合成画像記憶手段をさらに備えるようにしてもよい。
【００１２】
　また、第２の発明の撮像装置は、被写体を撮像し撮像画像を出力する撮像手段と、撮像手段から出力された撮像画像を記憶する撮像画像記憶手段と、複数のパターンを記憶するパターン記憶手段と、パターン記憶手段に記憶されている複数のパターンの中から所望のものを選択するパターン選択手段と、パターン選択手段により選択されたパターンを用いて前記撮像画像記憶手段に記憶されている撮像画像の対応部分を切抜いて切抜き画像を生成する切抜き画像生成手段と、切抜き画像生成手段により生成された切抜き画像を所望の画像に合成する画像合成手段とを有することを特徴とする。
【００１３】
　また、第３の発明の撮像装置は、被写体を撮像し撮像画像を出力する撮像手段と、撮像手段から出力された撮像画像を記憶する撮像画像記憶手段と、撮像画像記憶手段に記憶されている記憶画像からパターンを生成するパターン生成手段と、パターン生成手段により生成されたパターンを記憶するパターン記憶手段と、パターン記憶手段に記憶されているパターンを用いて撮像画像記憶手段に記憶されている撮像画像の対応部分を切抜いて切抜き画像を生成する切抜き画像生成手段と、切抜き画像生成手段により生成された切抜き画像を所望の画像に合成する画像合成手段とを有することを特徴とする。
【００１４】
　また、上記第３の発明の撮像装置で、パターン生成手段は、前記撮像画像中の輪郭を抽出することによりパターンを生成する。
【００１５】
　また、上記第３の発明の撮像装置で、撮影距離を指定する指定手段を備え、パターン生成手段は、撮像画像中の指定手段により指定された撮影距離に応じた画像部分を抽出することによりパターンを生成するようにしてもよい。
【００１６】
　また、上記第３の発明の撮像装置で、パターン生成手段は、撮像画像を２値化することによりパターンを生成するようにしてもよい。
【００１７】
　また、上記第３の発明の撮像装置で、パターン生成手段は、撮像画像の輝度成分を演算することによりパターンを生成するようにしけもよい。
【００１８】
　第４の発明の撮像装置は、被写体を撮像する撮像手段と、撮像手段から出力された撮像画像を記憶する撮像画像記憶手段と、描画データを入力する描画データ入力手段と、描画データ入力手段により入力された描画データからパターンを生成するパターン生成手段と、パターン生成手段により生成されたパターンを記憶するパターン記憶手段と、パターン生成手段に記憶されているパターンを用いて前記撮像画像記憶手段に記憶されている撮像画像の対応部分を切抜いて切抜き画像を生成する切抜き画像生成手段と、切抜き画像生成手段により生成された切抜き画像を所望の画像に合成する画像合成手段とを有することを特徴とする。
【００１９】
　また、上記第４の発明の撮像装置で、描画手段は、カーソルまたはポインティングデバイスを用いて描画することを特徴とする。
【００２０】
　第５の発明の撮像装置は、被写体を撮像し撮像画像を出力する撮像手段と、撮像手段から出力される撮像動画像を表示する表示手段と、画像切抜きパターンを記憶する画像切抜きパターン記憶手段と、画像切抜きパターン記憶手段に記憶されている画像切抜きパターンを表示装置に表示されている撮像動画像上に合成して表示させる表示制御手段と、キー入力手段と、撮像手段から出力される撮像静止画像を記憶する撮像静止画像記憶手段と、表示制御手段により表示手段に撮像動画像および切抜き画像パターンが表示されている間にキー入力手段が操作された場合、撮像静止画像記憶手段に撮像静止画像を記憶させる記憶制御手段と、を有することを特徴とする。
【００２１】
　また、上記第５の発明の撮像装置で、記憶制御手段は、表示手段に表示されている画像切抜きパターンを用いて撮像静止画像の対応部分を切抜いて切抜き静止画像を生成し、この切抜き静止画像を撮像静止画像記憶手段に記憶させることを特徴とする。
【００２２】
　また、上記第５の発明の撮像装置は、更に、撮像静止画像記憶手段に記憶されている撮像静止画像を再生する再生手段と、画像切抜きパターン記憶手段に記憶されている画像切抜きパターンを用いて再生手段により再生された撮像静止画像の対応部分を切抜いて切抜き画像を生成する切抜き画像生成手段と、切抜き画像生成手段により生成された切抜き画像を所望の画像に合成する画像合成手段と、を有するようにしてもよい。
【００２３】
　第６の発明は、被写体を撮像し撮像画像を出力する撮像手段と、撮像手段から出力される撮像静止画像を記憶する撮像静止画像記憶手段と、撮像手段から出力される撮像動画像を表示する表示手段と、パターンを記憶するパターン記憶手段と、パターン記憶手段に記憶されているパターンを用いて撮像画像記憶手段に記憶されている撮像画像の対応部分を切抜いて切抜き画像を生成する切抜き画像生成手段と、切抜き画像生成手段により生成された切抜き画像を前記表示装置に表示されている撮像動画像上に合成して表示させる表示制御手段と、キー入力手段と、表示制御手段により表示手段に撮像動画像および切抜き画像が表示されている間にキー入力手段が操作された場合、撮像静止画像記憶手段に撮像静止画像を記憶させる記憶制御手段と、を有することを特徴とする。
【００２４】
　また、上記第６の発明の撮像装置で、憶制御手段は、表示手段に表示されている撮像静止画像および切抜き画像を前記撮像静止画像記憶手段に記憶させることを特徴とする。
【００２５】
　また、上記第６の発明の撮像装置は、さらに、表示制御手段により撮像動画像上に表示されている前記切抜き画像を、表示画面内の所望の位置に移動指示する移動指示手段を備えようにしてもよい。
【００２６】
　第７の発明の撮像装置は、被写体を撮像し撮像画像を出力する撮像手段と、撮像手段から出力された撮像画像を記憶する撮像画像記憶手段と、撮像画像記憶手段に記憶されている撮像画像を表示する表示手段と、パターンを記憶するパターン記憶手段と、パターン記憶手段に記憶されているパターンを表示手段に表示されている撮像画像上に表示させる表示制御手段と、表示制御手段により前記撮像画像上に表示されているパターンを、表示画面内の所望の位置に移動させる移動手段と、移動手段により移動されたパターンを用いて撮像画像の対応部分を切抜いて切抜き画像を生成する切抜き画像生成手段と、切抜き画像生成手段により生成された切抜き画像を所望の画像に合成する画像合成手段と、を有することを特徴とする。
【００２７】
　第９の発明の撮像画像加工方法は、被写体を撮像して撮像画像を得る工程と、前記撮像画像を記憶する工程と、記憶されている撮像画像からパターンを生成する工程と、パターンを記憶する工程と、記憶されているパターンを用いて記憶されている撮像画像の対応部分を切抜いて切抜き画像を生成する工程と、生成された切抜き画像を所望の画像に合成する工程とを有することを特徴とする。
【発明の効果】
【００２８】
　第１の発明の撮像装置によれば、予め、枠の付いたフレーム画像をフラッシュメモリ等の記憶手段に登録しておき、撮像された被写体像と登録したフレーム画像の内の所望のものと合成して枠付の合成画像を簡単に得ることができる。また、撮影時に案内枠としてフレーム画像を表示できるので画像の大きさをほぼ一定に揃えたり、サイズが定められている証明用の写真等を簡単に撮影できる（請求項１）。
【００２９】
　また、上記第１の発明の撮像装置に、撮像画像を記憶するフラッシュメモリ等の記憶手段と記憶された撮像画像を再生する再生手段を設けるようにできるので、記録した撮像画像とフレーム画像についても合成加工が簡単にできる（請求項２）。
【００３０】
　また、第１の発明の撮像装置に、合成画像を表示する表示手段を設けることができるので、使用者は上記合成結果をリアルタイムで見ることができ、やり直しをするか、記録するか、外部出力するか等の決定が簡単、且つ迅速に行なえる（請求項３）。
【００３１】
　また、上記第１の発明の撮像装置に、合成画像における撮像画像の相対的な位置を調整する調整手段を設けることができるので、表示画面を見ながら撮像画像とフレーム画像の位置調整を簡単に行なえる（請求項４）。
【００３２】
　また、上記第１の発明の撮像装置に、マスク画像を記憶するマスク画像記憶手段と、撮像画像とマスク画像とを合成してフレーム画像を生成する生成手段を備えることができるので、使用者は予め登録されたフレーム画像以外に、使用者自身で所望のフレーム画像を合成して登録することができる（請求項５）。また、上記第１の発明の撮像装置に、合成画像を記憶する合成画像記憶手段を設けることができるので、気に入った合成画像を簡単に記録保存することができる（請求項６）。
【００３３】
　第２の発明の撮像装置によれば、予め、パターンをフラッシュメモリ等の記憶手段に登録しておき、所望の撮像画像と登録されているパターン内の所望のものと合成して合成部分を切抜いた切抜き画像を生成して、所望の画像にその切抜き画像を合成した画像を簡単に得ることができる。これにより、あるパターンの形をした画像を他の画像に簡単に貼り込むといった画像加工が従来のようなパーソナルコンピュータ等の画像処理装置で行なう場合に比べ極めて簡単な操作で行なうことができる（請求項７）。
【００３４】
　第３の発明の撮像装置および第８の発明の撮像画像加工方法によれば、撮像によりフラッシュメモリ等の記憶手段に記憶されている記憶画像からパターンを生成し、所望の撮像画像と生成したパターンを合成して合成部分を切抜いた切抜き画像を生成して、所望の画像にその切抜き画像を合成した画像を簡単に得ることができる。これにより、使用者自身で撮像画像からパターンを取り出して所望の画像と合成して切抜き、他の画像に貼り込むといった画像加工を従来のような画像処理装置で行なう場合に比べ極めて簡単な操作で行なうことができる（請求項８，２２）。
【００３５】
　また、第３の発明の撮像装置に、撮像画像中の輪郭を抽出してパターンを生成する手段を設けることができるので、この場合、簡単にパターンを抽出することができる（請求項９）。
【００３６】
　また、第３の発明の撮像装置では、撮影距離を指定する指定手段を設けることができるので、撮影距離に応じた画像部分を抽出してパターンを生成することもできる（請求項１０）。
【００３７】
　また、第３の発明の撮像装置では、撮像画像を２値化したパターンを生成することができるので、他の画像を切抜く際のマスク処理が簡単になる（請求項１１）。
【００３８】
　第３の発明の撮像装置では、撮像画像の輝度成分を演算することによりパターンを生成することができる。これにより、境界のぼやけた切抜き画像を簡単に得ることができる（請求項１２）。
【００３９】
　第４の発明の撮像装置は、描画入力によりパターンを生成し、所望の撮像画像と生成したパターンを合成して合成部分を切抜いた切抜き画像を生成して、所望の画像にその切抜き画像を合成した画像を簡単に得ることができる。これにより、使用者自身が描いたパターンと所望の画像と合成して切抜き、他の画像に簡単に貼り込むといった画像加工が従来のような画像処理装置で行なう場合に比べ極めて簡単な操作で行なうことができる（請求項１３）。
【００４０】
　また、第４の発明の撮像装置では、カーソルまたはポインティングデバイスを用いて描画できるので、使用者にとって入力操作が簡単になり、思いついたパターンをメモの要領で入力できるし、パターン生成に使用に抵抗感を生じない（請求項１４）。
【００４１】
　第５の発明の撮像装置は、撮像モードで表示されるスルー画像と画像切抜きパターンを合成して表示し、所望のタイミングでキー操作を行なうことにより動画表示されているスルー画像を静止画像としてフラッシュメモリー等の記憶手段に記憶させることができる。すなわち、本発明によれば、スルー画像上に画像切抜きパターンが表示されるので、アングルを調整することにより使用者が所望する被写体を切抜きパターンにうまく収めて撮影を行なうことができる（請求項１５）。
【００４２】
　また、第５の発明の撮像装置では、撮影時に表示されている画像切抜きパターンを用いて撮像静止画像の対応部分を切抜いて切抜き静止画像を生成／記録できるので、使用者が所望する被写体が切抜きパターンにうまく収まった状態の切抜き画像を記憶することができるという、前述した従来の画像処理装置にない新たな効果を得ることができる（請求項１６）。
【００４３】
　また、第５の発明の撮像装置に記憶されている画像を再生する手段を設けることができるので、再生画像を記憶しているパターンで切抜いて切抜き画像を生成し、所望の画像にその切抜き画像を合成した画像を簡単に得ることができる。これにより、使用者が所望する被写体が切抜きパターンにうまく収まった状態で撮影記録した後にその記録画像を再生して切抜きパターンを用いて切抜くことができるので、再生時に切抜き位置を微調整することができる（請求項１７））。
【００４４】
　第６の発明の撮像装置では、記憶されているパターンを用いて記憶されている画像を切抜いて切抜き画像を生成し、その切抜き画像を表示されているスルー画像に合成することができるので、使用者はアングルを調整することにより表示されている切抜き画像とスルー画像との位置関係が所望するものとなった時に撮影を行なうことができという、前述した従来の画像処理装置にない新たな効果を得ることができる（請求項１８）。
【００４５】
　また、第６の発明の撮像装置では、撮影時に合成表示されている切抜き画像とスルー画像の静止画像を記憶することができるので、切抜き画像とスルー画像との位置関係が所望するものとなった状態の合成画像を記録することができる（請求項１９）。
【００４６】
　また、第６の発明の撮像装置では、移動指示手段によりスルー画像上に表示されている切抜き画像を移動させることができるので、合成時の位置合せが簡単にできる（請求項２０）。
【００４７】
　第７の発明の撮像装置は、記憶されたパターンを画面に表示された撮像画像上で移動させることができるので、所望する画像部分をそのパターンで切抜いて切抜き画像を生成し、所望の画像の所望の部分に切抜き画像を合成した画像を簡単に得ることができる（請求項２１）。
【発明を実施するための最良の形態】
【００４８】
　＜回路構成例＞
　図１は、本発明の撮像装置の一実施例としてのデジタルカメラの構成例を示すブロック図であり、デジタルカメラ１００はレンズブロック４１が接続部４３を介してカメラ本体４２に接続されてなっている。
【００４９】
　レンズブロック４１は、撮像レンズ１，ＣＣＤ（Charge Coupled Device）２，アンプ（デジタルデータ）がタイミングジェネレータに供給されるように構成されている。
【００５０】
　タイミングジェネレータ１２は、端子部３２を介して駆動回路５を制御し、ＣＣＤ２を駆動する。タイミングジェネレータ１２は、また、Ａ／Ｄ変換回路４から供給された画像データをＤＲＡＭ１３に書込む。ＤＲＡＭ１３に書込まれる画像データは黄色（Ｙｅ）、シアン（Ｃｙ）、および緑（Ｇｒ）の色成分を有している。
【００５１】
　ＤＲＡＭ１３には画像データを一時記憶する領域の他、本発明の画像加工処理を実行する際の画像加工用ワークエリア（作業用領域）が確保されている。ＤＲＡＭ１３に書込まれた画像データは１フレーム分の画像データがそろうと、一定の周期で読み出されてシグナルジェネレータ１６に供給される。また、ＤＲＡＭ１３に書込まれた画像データは、圧縮／伸張回路１５で圧縮され、フラッシュメモリ１４（撮影画像記憶手段）に書込まれ、記憶（記録）される。
【００５２】
　フラッシュメモリ１４には撮影した画像の画像データを記録する領域の他、切抜き画像を記録する切抜き画像メモリ１４Ａ（切抜き画像記憶手段）用の領域と、マスクパターンを記録するマスクパターンメモリ１４Ｂ（マスクパターン記憶手段）用の領域が設けられている。また、切抜き画像メモリ１４Ａ用の領域およびマスクパターンメモリ１４Ｂ用の領域を他の記録媒体、例えば、ＲＯＭやメモリカードに設けるようにしてもよい。
【００５３】
　シグナルジェネレータ１６は、一定の周期でＤＲＡＭ１３から１フレーム分の画像データを取り出して、順次、ホワイトバランス調整や色演算処理を施してＹＵＶデータ（輝度信号Ｙ、色差信号Ｒ−Ｙ、Ｂ−Ｙ）を生成し、ＶＲＡＭ１７に記憶させる。
　シグナルジェネレータ１６は、また、ＶＲＡＭ１７に記憶したＹＵＶデータを読み出してＤ／Ａ変換回路１８に出力し、Ｄ／Ａ変換させた後、アンプ１９を介して液晶ディスプレイ２０に出力し画像表示させる。なお、アンプ１９から出力されたビデオ信号は図示しない外部装置にも出力可能である。
【００５４】
　上記構成により、液晶ディスプレイ（ＬＣＤ）２０は撮影時にＣＣＤ２を介した被写体画像を表示（スルー画像表示）でき、画像再生時には再生された記録画像を表示できる。撮影時に表示される被写体画像は撮像レンズ１を通した動画として表示される（すなわち、被写体またはデジタルカメラ１００の動きに応じたモニター画像（以下、スルー画像と記す）が表示されるので、液晶ディスプレイ２０をファインダとしても用いることができる。
【００５５】
　また、図１で、液晶表示部２０の画面上に透明な位置検出センサー（図示せず）を配設するようにしてもよい。位置検出センサーとしては、例えば、特定の光を検出する光検出素子やタッチ電極を用いることができる。位置検出センサーとして光検出素子を用いた場合には、使用者が入力手段として特定の光（例えば、赤外線）を発する入力ペンを用いて画面上をポイントすることにより、ポイントされた位置の光検出素子が能動状態となる。ＣＰＵ２１は能動状態となった光検出素子の座標を検出してポイントされた画像の位置や範囲（形）を知ることができる。また、タッチ電極を用いた場合には、使用者がタッチペンまたは指先で画面上をタッチするとタッチされた部分の電極がオンとなる。ＣＰＵ２１はオンとなったタッチ電極の座標を検出してポイントされた画像の位置や範囲（形）を知ることができる。
【００５６】
　ＣＰＵ２１は、ＲＯＭ２２或いはフラッシュメモリ１４に記憶されているプログラムに従って各種の処理を実行する。
　ＲＡＭ２３は、ＣＰＵ２１が各種の処理を実行する上で必要なプログラムおよびデータ等を適宜記憶する。
　キー入力部２４は、図２に示すような各種の入力キーやボタンを備えており、使用者によって操作されると、対応するキーやボタンの状態信号をＣＰＵ２１に送出する。また、キー入力部２４の他に、入力ペンやタッチペン等のポインティングデバイスを付加してもよい。
【００５７】
　Ｉ／Ｏポート２５は、ＣＰＵ２１と外部装置との間におけるデータ入出力のインターフェイス処理を実行する。
【００５８】
　また、レンズブロック４１またはカメラ本体４２に被写体までの距離を計測可能な測距手段（図示せず）を設けてもよい。測距手段としては機械的手段の他に、例えば、デジタルカメラがオートフォーカス機構を有する場合にはオートフォーカス動作により得られる撮像レンズ１の焦点距離ｆと、撮像レンズ１とＣＣＤ２との距離ａと撮像レンズ１の移動距離から被写体までの距離ｂを得る手段として構成できる。また、赤外線受発光装置を用いて測距手段を構成することもできる。
【００５９】
　＜キー入力部の構成例＞
　図２は、本発明を適用したデジタルカメラに設けられているキー入力部２４の代表的なキーまたボタンの配置例を示す図である。図２で、フレームボタン６１は切抜き画像メモリ１４Ａから切抜き画像を読み出すときに使用者によって操作され、移動キー６２は液晶ディスプレイ２０に表示されるカーソルを上下左右方向に移動させるときに操作され、レリーズボタン６３は撮影された画像をフラッシュメモリ１４に記録するときに操作され、再生ボタン６４はフラッシュメモリ１４に記録された記憶画像（撮影画像、予め登録されている画像、単色画像およびＩＣカードに登録されている画像等を含む）を再生させる再生モードを設定するときに操作される。
【００６０】
　また、記録ボタン６５は撮影した画像をフラッシュメモリ１４に記録する記録モードを設定するときに操作され、マスクボタン６６はマスクパターン（画像）を再生するときに操作され、アップダウンキー６７は液晶ディスプレイ２０に表示されているカーソルを上下させるときや、プログラムで規定された機能の実行開始の指示等を行なう場合に操作され、ダイレクトキー６８はカーソルまたはポインティングデバイス（例えば、タッチペン）による描画入力の開始等の通知をＣＰＵ２１に対して行なう場合等に操作される。
【００６１】
　＜処理モード＞
　図３は、図１のデジタルカメラの処理モードの構成例を示す説明図であり、デジタルカメラの処理モードは、記録モードおよび再生モードからなる通常撮影モードと近接撮影等の特殊撮影モードに大別され、通常モードと特殊撮影モードとの切換えは図示しない処理モード切換えスイッチの切換えによりなされる。
【００６２】
　処理モードが通常モードに切換えられると先ず記録モードに遷移する。記録モードは被写体の撮影およびスルー画像表示を行なう撮像モードと、スルー画像合成モードと、所望のスルー画像或いは合成された画像等を記録媒体（実施例ではフラッシュメモリ１４）に記録する記録保存モードを含んでいる。
【００６３】
　通常モード下で再生ボタン６４を押すと先ず再生モードに遷移する。再生モードはフラッシュメモリ１４に記録されている記録画像を再生して表示する再生／表示モードと、記録画像合成モードと、Ｉ／Ｏポート２５を介して外部装置に画像データ（合成された画像データも含む）を出力可能な出力モードを含んでいる。なお、操作者による処理モード切換えスイッチおよびキー入力部２４のキー操作やボタン操作でどのモードへ遷移したかはモード判定手段（実施例ではプログラムで構成）によって行なわれる。モード判定手段は、キー入力部２４からＣＰＵ２１に送られるキーおよびボタンの状態信号を調べて対応のモード処理用回路或いはプログラムに遷移する。
【００６４】
　＜各モード下のデジタルカメラの動作＞
　次に、図１のデジタルカメラの各モード下での動作について説明する。
【００６５】
　［記録モード下の動作］
　処理モードが記録モードになると先ず撮像モードに遷移する。撮像モードでは、ＣＣＤ２から周期的に取込まれる１フレーム分の画像データが液晶ディスプレイ２０上にスルー画像表示される。撮像モード下で、マスクボタン６６或いはフレームボタン６１を押すとスルー画像合成モードとなり、所望の画像をマスクパターンにしたり、画像と所望のマスクパターン或いは切抜き画像を合成表示したり、画像合成等を行なうことができる。また、アップダウンキー６７を押すと撮影用案内枠を表示することができる。また、レリーズボタン６３を押すと記録保存モードになり、所望のスルー画像或いは合成された画像等をフラッシュメモリ１４に記録できる。
【００６６】
（１）　撮影およびスルー画像の表示
　記録モード下で、使用者が記録ボタン６５を押すと、ＣＰＵ２１は撮影指示信号を送ってタイミングジェネレータ１２を制御し、被写体像の取込みを行なわせる。タイミングジェネレータ１２は、ＣＰＵ２１から撮影指示信号を受け取ると端子３２を介して駆動回路５を駆動し、ＣＣＤ２によって変換された画像信号を取込ませる。ＣＣＤ２には使用者が撮像レンズ１を向けた被写体の光学像が撮像レンズ１を介して結像しているので、ＣＣＤ２を駆動回路５で駆動することによりＣＣＤ２で光電変換された画像信号がアンプ３を介してＡ／Ｄ変換回路４に入力される。Ａ／Ｄ変換回路４は入力された画像信号をＡ／Ｄ変換して画像データとし、端子３１を介してタイミングジェネレータ１２に供給する。タイミングジェネレータ１２は、入力された画像データ（Ｙｅ，Ｃｙ，Ｇｒ）をＤＲＡＭ１３に記憶する。ＣＰＵ２１はＤＲＡＭ１３に一旦記憶された画像データを読み出し、シグナルジェネレータ１６に供給する。
　シグナルジェネレータ１６はこの画像データのホワイトバランスを調整すると共に、エンコード処理してビデオデータ（ＹＵＶデータ）を生成し、ＶＲＡＭ１７に一旦記憶させる。シグナルジェネレータ１６は、また、ＶＲＡＭ１７に描画したビデオデータを読み出してＤ／Ａ変換回路１８に供給する。
　Ｄ／Ａ変換回路１８はこのビデオデータをＤ／Ａ変換し、アンプ１９を介して液晶ディスプレイ２０に出力し、表示させる。このようにして、液晶ディスプレイ２０には使用者が撮像レンズ１を介してモニターしている画像（スルー画像）が表示される。使用者はこの液晶ディスプレイ２０に表示された画像を見て被写体を確認することができる。
　なお、以上のようにして液晶ディスプレイ２０に表示するスルー画像用のビデオデータは簡単に生成できる。例えば、ＤＲＡＭ１３に記憶された画像データのうち、Ｙｅ成分のみを用いて輝度データと色差データが生成されるので、これらのデータを用いて、撮像レンズ１を介した時々刻々と変化する画像（すなわち、スルー画像）を迅速に更新し、液晶ディスプレイ２０に表示することができる。
【００６７】
（２）　スルー画像の合成撮影
　モード時に、使用者がマスクボタン６６或いはフレームボタン６１を押すとスルー画像合成モードとなる。
　マスクボタン６６が押された場合には、スルー画像のなかからマスクパターンとして望ましい部分を切抜いてマスクパターンメモリ１４Ｂに登録したり、スルー画像の所望の部分と所望のマスクパターンとを合成して所望の切抜き画像を作成することができる。また、フレームボタン６１を押すとスルー画像に切抜き画像メモリ１４Ａに記録されている所望の切抜き画像を貼込み、合成できる。なお、スルー画像合成モード下のデジタルカメラ１００の動作については後述する（図４，実施例１〜３，７，８〜１０）。
【００６８】
（３）　案内枠の表示
　撮像モード下でアップダウンキー６７を押すと運転免許証やパスポート写真撮影用等の撮影用案内枠を表示することができる。なお、案内枠の表示動作については後述する（実施例７）
【００６９】
（４）　画像の記録保存
　一方、記録モード下で、レリーズボタン６３を操作して記録指示を行なうと、ＣＰＵ２１はＤＲＡＭ１３に記憶されている画像データ（画像合成モード下で合成された合成画像データの場合を含む）をシグナルジェネレータ１６に供給し、Ｙｅ成分，Ｃｙ成分，Ｇｒ成分の全てを用いて、より正確にビデオデータを生成（エンコード）させ、静止画像として液晶ディスプレイ２０に表示する。さらに、ＣＰＵ２１はこのビデオデータを圧縮／伸張回路１５に供給し、例えば、ＪＰＥＧ（Joint Photographic Experts Group）方式で圧縮処理を実行させる。圧縮されたビデオデータはフラッシュメモリ１４に記録される（書込まれれる）。
　なお、記録保存の際にマスクパターンと合成画像とその背景画像（この場合は記録画像）をフラッシュメモリ１４上で関連付ける情報（例えば、合成画像および背景画像の画像番号や、マスクパターンの種類や画像番号、切抜き画像の画像番号等）を対応づけてフラッシュメモリ１４上に設けられたリンクテーブル５０に書込むようにしてもよい。なお、画像番号の代りに各画像やマスクパターンの格納位置を書込むようにしてもよい。
【００７０】
　［再生モード下の動作］
　通常モード下で、再生ボタン６４を押すと再生／表示モードとなり、フラッシュメモリ１４に記録されている記録画像を読み出し、再生して液晶ディスプレイ２０に表示する。また、再生ボタンを押す毎に次の記録画像が読み出されて再生され、液晶ディスプレイ２０に表示されるので、利用者は所望の再生画像を得ることができる。
　なお、再生ボタンを押し続けると表示画像が早送りされ、再生ボタンから指を離すとその時点の画像が表示される早送りモードを付加するように構成してもよい。
　再生／表示モードでマスクボタン６６またはレリーズボタン６３を押すと記録画像合成モードとなり、記録画像の中の所望の再生画像からマスクパターンを生成したり、記録画像に所望のマスクパターン或いは切抜き画像を重畳表示したり、所望の切抜き画像を記録画像に貼込み合成することができる。
【００７１】
（１）　記録画像の再生および表示
　利用者がキー入力部２４の再生ボタン６４を操作して再生／表示モードに設定すると、ＣＰＵ２１はフラッシュメモリ１４に書込まれている１画像分のビデオデータを読み出して圧縮／伸張回路１５に供給する。
　圧縮／伸張回路１５はこのビデオデータに伸張処理を施してシグナルジェネレータ１６に供給する。
　シグナルジェネレータ１６は受け取ったビデオデータに同期信号などを付加し、ＶＲＡＭ１７に一旦描画してから、ＶＲＡＭ１７に描画したビデオデータを読み出してＤ／Ａ変換回路１８に供給する。
　Ｄ／Ａ変換回路１８はこのビデオデータをＤ／Ａ変換し、アンプ１９を介して液晶ディスプレイ２０に出力し表示させる。このようにして、液晶ディスプレイ２０にフラッシュメモリ１４に記録した画像を表示させることができる。上述したようにこの表示画像はスルー画像と異なり、より正確な処理を行なって取込んだ画像であるため、スルー画像と比べて明瞭な画像として表示される。
【００７２】
（２）　記録画像の合成
　再生／表示モードで、マスクボタン６６或いはレリーズボタン６３を押すと記録画像合成モードとなり、マスクボタン６６を押した場合にはマスクパターンとして、記録画像から望ましいマスクパターンを生成したり、記録画像と所望のパターンを重畳表示したり、所望の記録画像と所望のパターンとの貼込み合成を行なうことができる。また、レリーズボタン６３を押すと記録画像から生成されたマスクパターンをマスクパターンメモリ１４Ｂに登録したり、生成された切抜き画像を切抜き画像メモリ１４Ａに登録したり、合成画像のフラッシュメモリ１４への登録を行なうことができる。リンクテーブル５０を設け、マスクパターンや切抜き画像と合成画像とその背景画像を関連付ける情報を記録している場合には、記録保存の際にそれら情報を更新する。なお、記録画像合成モード下の動作については後述する（図４，実施例４〜６，実施例９，１０）。
【００７３】
　＜画像加工手段＞
　画像加工手段１００は、通常モード下での画像加工処理を実行する。画像加工手段１００はハードウエア回路で構成することもできるが本実施例では画像加工手段１００をプログラムで構成している。なお、画像加工手段１００の各モジュールのうちあるモジュールをハードウエア回路で、その他のモジュールをプログラムで構成するようにしてもよい。また、プログラムで構成された画像加工手段１００の各モジュールはＲＯＭ２２またはフラッシュメモリ１４に記録され、制御プログラムのコントロール下でＣＰＵ２１により実行制御され、本実施例の各種画像加工処理を実現する。図４は画像加工手段１００の構成例を示すブロック図であり、画像加工手段１００は、スルー画像合成処理手段１１０と記録画像合成処理手段１２０および案内枠表示処理手段１３０を含んでいる。
【００７４】
　［スルー画像合成処理手段］
　スルー画像合成処理手段１１０は、記録モード下で撮像モードからスルー画像合成モードに切換えられた場合に画像加工方法を判定する加工方法判定手段１１１と、スルー画像から所望のマスクパターンを抽出してマスクパターンメモリ１４Ｂに登録するパターン生成／登録手段１１２と、スルー画像と所望のマスクパターンを重畳表示し、重畳表示されたスルー画像と所望のパターンから所望の切抜き画像を生成してて切抜き画像メモリ１４Ａに登録する切抜き画像生成／登録手段１１３と、スルー画像に所望の切抜き画像を重畳表示し、スルー画像と所望の切抜き画像との貼込み合成処理を行なうスルー画像合成手段１１４を含んでいる。
【００７５】
　加工方法判定手段１１１は、モード判別手段からスルー画像合成処理手段１１０に遷移すると起動され、ＣＰＵ２１がキー入力部２４から受け取った使用者の操作結果（状態信号）を判定して、使用者の操作結果がマスクボタン６６の押し下げの場合にはパターン生成／登録手段１１２を起動し、フレームボタン６１の押し下げなら切抜き画像生成／登録手段１１３を起動し、レリーズボタンの押し下げならスル−画像合成手段１１４を起動する。
【００７６】
　なお、オプションとして、リンクテーブル５０をフラッシュメモリ１４に設ける場合にリンクテーブル５０に登録する情報、例えば、背景画像と合成画像の関係を示す画像番号や、背景画像と切抜き画像或いはマスクパターンとの関係を示すポインタ情報等を生成する加工情報付与手段１１５をスル−画像合成手段の後段に組込むように構成してもよい。
【００７７】
　パターン生成／登録手段１１２は、２値化パターン生成手段１１２１と輝度成分加工パターン生成手段１１２２とを有している。パターン生成／登録手段１１２は、撮像モードで使用者がマスクパターンとして所望する被写体像を見付けたり、マスクパターンとして登録したいパターンを紙や板に描いたとき（例えば、図８（Ａ））そのスルー画像を見て所望のアングルでマスクボタン６６を押した場合に加工方法判定手段１１１によって起動され、そのスル−画像（パターン候補画像）をＤＲＡＭ１３に取込み、２値化パターン生成手段１１２１を起動して、取込まれたパターン候補画像を２値化して２値化されたパターン（図８（Ｂ））を液晶ディスプレイ２０に表示する。この場合、アップダウンキー６７が押されると輝度成分加工パターン生成手段１１２２を起動して、パターン候補画像の輝度成分を所定ビット（実施例では８ビット）で取込み輝度成分を変更して、抽出されたパターン（図８（Ｂ'））を液晶ディスプレイ２０に表示する。ここで、レリーズボタン６３が押されると抽出されたパターンはマスクパターンメモリ１４Ｂに登録（記録）される（実施例１）。
【００７８】
　また、被写体の輪郭を検出して抽出する輪郭抽出処理を行なってマスクパターンとして所望する被写体像のパターンを抽出するパターン生成手段１１２５を含むようにパターン生成／登録手段１１２を構成してもよい。
【００７９】
　また、使用者が移動キー６２を用いて液晶表示部２０の画面上でカーソルを移動させ、マスクパターンとして所望する被写体像の輪郭をなぞって、パターンを抽出するパターン生成手段１１２５を含むようにパターン生成／登録手段１１２を構成してもよい。また、図１で、図２に示したキー入力部２４のキーおよびボタンのほかに入力手段として、液晶表示部２０の画面上に透明な位置検出センサー（図示せず）を配設してタッチペン等のポインティングデバイス（図示せず）或いは指で指定可能に構成されている場合に、スルー画像中の被写体像の輪郭をなぞってマスクパターンとして抽出できるようにパターン生成手段１１２５を構成してもよい（実施例８）。
【００８０】
　なお、登録するマスクパターンは、図形、模様、枠（例えば、自動車運転免許証用写真の大きさの撮影枠やパスポート写真用の大きさの撮影枠等、画像の大きさを示す撮影枠等）でもよい。
　また、物、動物、植物、建物、看板等の付属設備、風景、自然現象等様々の一般的な被写体でもよく、撮影可能であって、マスクパターンとして抽出できるものであればよい。なお、このような一般的な画像に含まれている複数の被写体について、再生時に距離に応じた部分を抽出してマスクパターンを生成することもできる。この場合、撮影時に、測距手段から撮影画像中の複数のポイントの被写体までの距離を得て画像データと共に記憶する距離データ記憶手段１１２６を含むようにパターン生成／登録手段１１２を構成する（実施例９）。測定された距離データは後述のリンクテーブル５０に書込むようにすることが望ましい。
【００８１】
　また、使用者が移動キー６２を用いて液晶表示部２０の画面上でカーソルを移動させて軌跡を描き、描かれた図形をマスクパターンとして切り取るようにパターン生成手段１１２５を構成してもよい。また、液晶表示部２０の画面上に透明な位置検出センサー（図示せず）を配設してタッチペン等のポインティングデバイス（図示せず）或いは指で指定可能に構成されている場合は、使用者が、液晶表示部２０の画面上にポイントしながら図形を描き、描かれた図形をマスクパターンとして切り取るようにパターン生成手段１１２５を構成してもよい。なお、位置検出センサーをタッチ電極等の接触型検出センサーで構成した場合は、使用者が指で画面にタッチして描いた図形を切抜くこともできる（実施例１０）。
【００８２】
　切抜き画像生成／登録手段１１３は、マスクパターンメモリ１４Ｂに登録された所望のマスクパターンでスルー画像のうち所望する部分を切抜いて切抜き画像メモリ１４Ａに登録（記憶）する（実施例２）。
【００８３】
　この場合、画面上に表示したマスクパターンの中から使用者が所望のものを選択する。また、選択されたマスクパターンでスルー画像の所望の部分を切抜く場合にマスクパターンとスルー画像を画面に合成して液晶ディスプレイ２０に表示してスルー画像（或いは、マスクパターン）の位置付けを行なう。しかしこのような画面表示（以下、プレビュー画面表示という）には時間がかかるので、プレビュー表示を迅速化するためにプレビュー表示を高速に行なう表示座標決定手段を含むように切抜き画像生成／登録手段１１３を構成することができる（実施例１１）。
【００８４】
　スルー画像合成手段１１４は、切抜き画像メモリ１４Ａに登録された切抜き画像と撮像モード下のスルー画像のうち所望の画像とを合成し、フラッシュメモリ１４に登録（記録）する（実施例３）。この場合、使用者はカメラを移動させてスルー画像を動かし所望のアングルで切抜き画像が重なるようにすることができる。また、カメラを移動させないで、表示された切抜き画像を移動させてスルー画像上の所望の部分に重なるようにすることもできる。
【００８５】
　この場合、画面上に表示した切抜き画像の中から使用者が所望のものを選択する。また、選択された切抜き画像をスルー画像の所望の部分に張込んで合成する場合に切抜き画像とスルー画像を画面に表示して位置付けを行なう。このようなプレビュー画面表示を迅速化するため、切抜き画像生成／登録手段１１３と同様にプレビュー表示を高速に行なう表示座標決定手段を含むようにスルー画像合成１１４を構成することができる（実施例１１）。
【００８６】
　また、合成された画像を圧縮してフラッシュメモリ１４に登録する場合の解像度を切抜き画像の解像度やスルー画像の解像度等から自動的に決定する解像度決定手段を含むようにスルー画像合成手段１１４を構成することができる（実施例１２）。
【００８７】
　［記録画像合成処理手段］
　記録画像合成処理手段１２０は、再生モード下で再生／表示モードから記録画像合成モードに切換えられた場合に画像加工方法を判定する加工方法判定手段１２１と、記録画像からマスクパターンを抽出／生成してマスクパターンメモリ１４Ｂに登録するマスクパターン生成／登録手段１２２と、記録画像に所望のパターンを重畳表示して、重畳表示された記録画像を所望のマスクパターンで切抜いて切抜き画像の生成処理を行なう切抜き画像生成／登録手段１２３と、記録画像と所望の切抜き画像を重畳表示し、所望の記録画像に所望の切抜き画像を張込む記録画像合成手段１２４を含んでいる。
　なお、オプションとして、リンクテーブル５０をフラッシュメモリ１４に設ける場合にリンクテーブル５０に登録する情報、例えば、背景画像と合成画像の関係を示す画像番号や、背景画像と切抜き画像或いはマスクパターンとの関係を示すポインタ情報等を生成する加工情報付与手段１２５を記録画像合成手段１２４の後段に組込むように構成してもよい。
【００８８】
　加工方法判定手段１２１は、モード判別手段から記録画像合成処理手段１２０に遷移すると起動され、ＣＰＵ２１がキー入力部２４から受け取った使用者の操作結果（状態信号）を判定して、使用者の操作結果がマスクボタン６６の押し下げの場合にはパターン生成／登録手段１２２を起動し、フレームボタン６１を押し下げなら切抜き画像生成／登録手段１２３を起動し、レリーズボタンを押し下げなら記録画像合成手段１２４を起動する。
【００８９】
　パターン生成／登録手段１２２は、２値化パターン生成手段１２２１と輝度成分加工パターン生成手段１２２２とを有している。ここで、２値化パターン生成手段１２２１と輝度成分加工パターン生成手段１２２２は前述の２値化パターン生成手段１１２１と輝度成分加工パターン生成手段１１２２と同じ構成および機能を有しているので共通モジュールとして構成し、パターン生成／登録手段１１２或いはパターン生成／登録手段１２２が起動された時にそのモジュールに分岐し、処理が終り次第、パターン生成／登録手段１１２或いはパターン生成／登録手段１２２に復帰させるように構成することが望ましい。
【００９０】
　パターン生成／登録手段１２２は、再生／表示モードで再生され表示された記録画像のうちから、使用者がマスクパターンとして所望する画像を見付けてマスクボタン６６を押した場合に加工方法判定手段１２１によって起動され、その画像をＤＲＡＭ１３に設けられているワークエリアに書込み、２値化パターン生成手段１２２１に分岐し、処理が終ると復帰して抽出された２値化パターン（図１６（Ｃ））を液晶ディスプレイ２０に表示する。この場合、アップダウンキー６７が押されると輝度成分加工パターン生成手段１２２２に分岐して、処理が終ると復帰して抽出されたパターン（図１６（Ｃ'））を液晶ディスプレイ２０に表示する。ここで、レリーズボタン６３が押されると抽出されたパターンはマスクパターンメモリ１４Ｂに登録（記録）される（実施例４）。
【００９１】
　また、前述したパターン生成／登録手段１１２と同様に、被写体の輪郭を検出して抽出する輪郭抽出処理を行なってマスクパターンとして所望する被写体像のパターンを抽出するパターン生成手段１２２５を含むようにパターン生成／登録手段１２２を構成してもよい。また、パターン生成手段１２２５を、再生時に、使用者が距離を指定すると記憶されている距離データに基づいて一致する画像部分を抽出してマスクパターンを生成するように構成してもよい（実施例９）。
　また、前述したパターン生成／登録手段１１２と同様に、使用者が移動キー６２を用いて液晶表示部２０の画面上でカーソルを移動させて軌跡を描き、描かれた図形をマスクパターンとして抽出するパターン生成手段１２２５を含むように構成してもよい。また、同様に、入力手段として、液晶表示部２０の画面上に透明な位置検出センサーを配設してポインティングデバイスで指定可能に構成されている場合は、使用者が、液晶表示部２０の画面上をポイントしながら図形を描き、描かれた図形をマスクパターンとして切り取るようにパターン生成手段１２２５を構成してもよい。位置検出センサーを接触型検出素子で構成した場合、使用者が指で画面にタッチして描いた図形を切抜くことができる点も同様である（実施例１０）。
【００９２】
　なお、登録するマスクパターンは前述したパターン生成／登録手段１１２の場合と同様、図形、模様、枠（例えば、自動車運転免許証用写真の大きさの撮影枠やパスポート写真用の大きさの撮影枠等、画像の大きさを示す撮影枠等）、物、動物、自然現象等様々なものでよく、マスクパターンとして抽出できるものであればよい。
【００９３】
　切抜き画像生成／登録手段１２３は、マスクパターンメモリ１４Ｂに登録されたマスクパターンで再生された記録画像のうちの所望の画像の所望の部分を切抜き切抜き画像メモリ１４Ａに登録する（実施例５）。
　この場合、画面上に表示されたマスクパターンの中から使用者が所望のものを指定して選択する。また、選択されたマスクパターンで記録画像の所望の部分を切取る場合にマスクパターンと記録画像を画面に合成して表示し、位置付けを行なう。このようなプレビュー画面表示を迅速化するために切抜き画像生成／登録手段１１３と同様に、プレビュー表示を高速に行なう表示座標決定手段を含むように切抜き画像生成／登録手段１２３を構成することができる（実施例１１）。
【００９４】
　記録画像合成手段１２４は、切抜き画像メモリ１４Ａに登録された所望の切抜き画像と再生された記録画像のうちの所望の画像の所望の部分とを合成し、フラッシュメモリ１４に記録する（実施例６）。
【００９５】
　また、使用者は、表示された切抜き画像を移動させて背景となる再生画像上の所望の部分に重なるようにすることができる。また、逆に、背景となる再生画像を移動させて所望のアングルで切抜き画像が重なるようにすることもできる。この場合、画面上に表示した切抜き画像の中から使用者が所望のものを選択する。また、選択された切抜き画像を記録画像の所望の部分に張込んで合成する場合に切抜き画像と記録画像を画面に表示して位置付けを行なう。このようなプレビュー画面表示を迅速化するため、スルー画像合成手段１１４と同様にプレビュー表示を高速に行なう表示座標決定手段を含むように記録画像合成手段１２４を構成することができる（実施例１１）。
【００９６】
　また、合成された画像を圧縮してフラッシュメモリ１４に登録する場合の解像度を切抜き画像の解像度や記録画像の解像度等から自動的に決定する解像度決定手段を含むように記録画像合成手段１２４を構成することができる（実施例１２）。
【００９７】
　［案内枠表示処理手段］
　案内枠表示処理手段１３０は、撮像モード下でマスクパターンメモリに登録された証明写真用案内枠等の案内枠パターンを液晶ディスプレイ２０に表示し、証明写真を撮る際に、被撮影者の像を表示された案内枠内に収るように撮影者がカメラアングルを調整して撮影／記録することにより、所望のサイズの画像を得ることができる。なお、印刷時に所望のサイズで印刷できるように記録時にリンクテーブル５０にサイズ情報を画像と対応させて記録することが望ましい。
【００９８】
　＜リンクテーブル＞
　図５はリンクテーブルの構成例を示す説明図であり、リンクテーブル５０は合成画像とその背景画像（この場合は記録画像）をフラッシュメモリ１４上で関連付ける情報、すなわち、合成画像および背景画像の画像番号や、パターンの種類や画像番号や、切抜き画像の画像番号等を記録することができる。
　図５で、（Ａ）は貼り付け合成後、合成画像をフラッシュメモリ１４に記録した場合の合成画像と背景画像および切抜き画像を対応づけたリンクテーブルの例を示し、画像番号欄５１１には合成画像の画像番号が、画像番号欄５１２には背景画像の画像番号が、切抜き画像番号欄５１３には切抜き画像メモリ１４Ａに格納されている切抜き画像の番号が記録される。
【００９９】
　また、（Ｂ）は貼り付け合成後、合成画像を記録することなく、合成画像と背景画像および切抜き画像を対応づける情報を登録するリンクテーブルの例を示し、切抜き画像番号欄５１３−１〜５１３−ｎ（ｎ≧１）には画像番号欄５１２に記録されている画像番号の背景画像と合成した切抜き画像の番号が記録される。
【０１００】
　また、（Ｃ）は切抜き画像生成の際に用いられた切抜き画像と背景画像（背景画像として合成画像を用いてもよい）およびマスクパターン画像を対応づける情報を登録したリンクテーブルの例を示し、マスクパターン番号欄５１４にはマスクパターンメモリ１４Ｂに記録されているマスクパターンのうち切抜き画像番号欄５１３に記録された切抜き画像番号の切抜き画像を生成する際に用いられたマスクパターンの番号が記録されている。また、合成位置欄５１５には切抜き画像生成の際に背景画像上でマスクパターンが位置付けられた背景画像の位置情報（座標値）が記録される。
【０１０１】
　なお、画像距離データ記憶手段１２２６を含むようにパターン生成／登録手段１２２を構成した場合には、１つの画像に対して複数の距離欄を設けておき指定された被写体までの距離データを記録できるように構成する。また、画像印刷時の印刷画像の大きさを指定する印刷サイズ欄を設け、印刷サイズの値或いは印刷サイズに対応するコードを記録することもできる。
【０１０２】
　＜実施例＞
　図６は、スルー画像合成モード若しくは記録画像合成モード下での画像と切抜き画像との合成例（貼り付け合成処理）の説明図である。図６（Ａ）の画像を撮像モード下で液晶ディスプレイ２０に表示されたスルー画像、若しくは再生モード下で再生された記録画像とする。また、図６（Ｂ）に示すような切抜き画像がＤＲＡＭ１３に記憶されているか、若しくは予め切抜き画像メモリ１４（Ａ）に登録されているとする。この場合、貼り付け合成処理では、図６（Ａ）の画像と図６（Ｂ）に示す切抜き画像とを合成して、図６（Ｃ）に示す合成画像を生成する。以下、スルー画像合成モードと記録画像合成モードの実施例について説明する。
【０１０３】
　［実施例１］：パターン生成／登録処理（スルー画像からのマスクパターン生成／登録）
本実施例は、パターン生成／登録手段１１２の一実施例であり、スルー画像合成モード下でスルー画像から背景処理により所望のマスクパターンを抽出してマスクパターンメモリ１４Ｂに登録する例である。図７はパターン生成／登録処理動作の一実施例を示すフローチャートであり、図８は図７のフローチャートに基づくパターン生成／登録過程の説明図である。図７で、撮像モードで使用者がマスクパターンとして所望する図８（Ａ）に示すような画像（この例では紙や板に描いたハートマーク）を撮影し、被写体像（ハートマーク）をＤＲＡＭ１３に一旦取込んでスルー画像表示する（Ｔ１）。
【０１０４】
　次に、そのスルー画像を見ながらカメラを移動させ所望のアングルでマスクボタン６６を操作するとＣＰＵ２１はＤＲＡＭ１３に一旦記憶された画像データをＤＲＡＭ１３のワークエリアに書込む（Ｔ２）。
【０１０５】
　ここで、ＣＰＵ２１は使用者がアップダウンキー６７を操作したかを調べ、アップダウンキー６７が操作された場合にはＴ７に移行し（Ｔ３）、操作されていない場合にはワークエリアに書込まれた被写体像（画像データ）を背景処理して切り取ったのち、２値化処理する（Ｔ４）。
【０１０６】
　２値化処理後、シグナルジェネレータ１６はこの２値化画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０には使用者が撮像レンズ１を介してモニターしているパターン化候補画像を２値化パターンに加工した結果がスルー画像表示される。使用者はこの液晶ディスプレイ２０に表示された画像を見てパターン（図８（Ｂ））を確認することができる（Ｔ５）。
【０１０７】
　ここで、ＣＰＵ２１は使用者がレリーズボタン６３を操作したかを調べ、レリーズボタン６３が押された場合にはＴ１２に移行し、押されていない場合にはＴ３に戻る（Ｔ６）。上記Ｔ３でアップダウンキー６７が操作された場合には輝度成分変更操作がされたかを調べる。輝度成分変更操作の有無はプラスとマイナスのアップダウンキーが同時に押されたか片方だけ押されたかにより判定し、同時に押された場合には変更操作がされなかったものとしてＴ９に移行し、片方が押された場合には変更操作があったものとしてＴ８に移行する（Ｔ７）。
【０１０８】
　上記Ｔ７で、アップダウンキー６７（＋）が押されると輝度値が高い方に所定値ずつ（本実施例では１ずつ）シフトされ、アップダウンキー６７（−）が押されると輝度値が低い方に所定値ずつ（本実施例では１ずつ）シフトされる。従って、アップダウンキー６７（＋）またはアップダウンキー６７（−）を操作することにより、パターンの輝度値を変更することができる（Ｔ８）。ＤＲＡＭ１３のワークエリアに書込まれたパターン候補画像の輝度成分を８ビットで取込み加工し、パターン化する（Ｔ９）。
【０１０９】
　アップダウンキー６７が１回操作される毎に、シグナルジェネレータ１６はこの輝度加工画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０には使用者が撮像レンズ１を介してモニターしているパターン化候補画像を輝度加工パターンに加工した結果がスルー画像表示される。使用者はこの液晶ディスプレイ２０に表示された画像を見てパターン（図８（Ｂ）'）を確認することができる（Ｔ１０）。
【０１１０】
　ここで、ＣＰＵ２１は使用者がレリーズボタン６３を操作したかを調べ、レリーズボタン６３が操作されている場合にはＴ１２に移行し、操作されていない場合にはＴ７に戻る（Ｔ１１）。ＣＰＵ２１は、上記Ｔ６またはＴ１１でレリーズボタン６３が押された場合、すなわち、所望のマスクパターン（図８（Ｂ）または（Ｂ'））を得た場合には、その時点で表示されているパターンをマスクパターンとして切出し、マスクパターンメモリ１４Ｂに登録する（Ｔ１２）。上記Ｔ１０で得た輝度成分加工パターン画像は、図８（Ｂ'）に示すようにパターンの境界周辺がぼやけた感じのパターンとなり、後述する図１１（Ｄ）に示すようなぼかした感じの切り抜き画像（切抜き画像）を得ることができる。
【０１１１】
　本実施例によれば、描画した絵を撮影してマスクパターンとして抽出／登録できるので、マスクパターンの登録が極く簡単にできる。また、好みのパターンをデザインして登録しておくことができるので、後述の合成処理等によりデザインパターンを基にした画像、例えば、商標や社章の試作等も簡単に行なえる。また、上記説明では描画した絵を撮影し、マスクパターンとして抽出／登録した例について述べたが、これに限られず、町や市街の風景やポスター、看板、雑誌等の中にある図形や画像を撮影して、それらのうち、使用者がパターン化してみたいと思うものを抽出してパターン化したり、直接描画入力した図形をパターン化することもできる。
【０１１２】
　前者の例としては、
(1) 被写体の輪郭を検出して抽出する輪郭抽出処理を行なってマスクパターンとして所望する被写体像のパターンを抽出する例、
(2) 画面上でカーソルを移動させ、マスクパターンとして所望する画像の輪郭をなぞってパターンを抽出する例、
(3) 画面上に透明な位置検出センサーを配設しておき、タッチペン等のポインテングデバイス等で、スルー画像の外郭をなぞってパターンとして抽出した例（実施例８）、を挙げることができ、後者の例としては、
(4) 使用者が画面上でカーソルを移動させて描いた図形を入力してマスクパターンとして抽出した例（実施例９）、
(5) 画面上に透明な位置検出センサーを配設しておき、タッチペン等のポインテングデバイスで画面に図形を描いてマスクパターンとして抽出した例、を挙げることができるが、これらに限定されない。
【０１１３】
　［実施例２］：切抜き画像生成／登録処理（スルー画像とマスクパターンからの切抜き画像の生成／登録）
　本実施例は、画像の生成／登録手段１１３の一実施例であり、スルー画像合成モード下でスルー画像と登録されたマスクパターンを適宜合成して切抜き画像とし、それを切り抜いて登録する例である。図９は切抜き画像生成／登録処理動作の一実施例を示すフローチャートであり、図１０，図１１は図９のフローチャートに基づく切抜き画像生成／登録過程の説明図である。以下、使用者が図１０（Ａ）に示すような被写体像を切抜き画像とする場合を例として説明する。
【０１１４】
　図９で、撮像モード下で使用者が切抜き画像として所望する図１０（Ａ）に示すような被写体を撮影し、被写体像をＤＲＡＭ１３に一旦取込んでスルー画像表示する（Ｕ１）。ここで、ＣＰＵ２１は、マスクボタン６６を操作されたか否かを調べ（Ｓ２）る。
【０１１５】
　使用者がマスクボタン６６を押すとＣＰＵ２１はマスクパターンメモリ１４Ｂに記憶されているマスクパターンを読み出し、シグナルジェネレータ１６を介してＶＲＡＭ１７に描画し、ＶＲＡＭ１７に描画されたマスクパターンを読み出してＤ／Ａ変換回路１８およびアンプ１９を介して液晶ディスプレイ２０に表示する。これにより、例えば、図１０（Ｂ）に示すようなマスクパターンが図１０（Ａ）に示すようなスルー画像と重畳されて図１０（Ｃ）のように液晶ディスプレイ２０に表示される。この場合、マスクパターンは画面中央に位置付けられている（Ｕ３）。
【０１１６】
　ここで、さらにマスクボタン６６を押すと次のマスクパターンが読み出されスルー画像と重畳表示されるので、使用者は液晶ディスプレイ２０に表示されたマスクパターンが所望のものか否かを判断し、所望のマスクパターンでない場合には所望のマスクパターンが現われるまでマスクボタン６６を押してマスクパターンとスルー画像を合成して重畳表示させる（Ｕ４）。
【０１１７】
　上記Ｕ４で、所望のマスクパターンが表示された場合に、使用者が上記Ｕ４でマスクパターンに重畳したスルー画像を見て（例えば、スルー画像の所望の部分が画面中央のマスクパターンと重畳していないため）スルー画像の位置を修正する必要があると判断した場合には、使用者がカメラを移動させてアングルを調整してスルー画像の所望の部分が画面中央のマスクパターンと重なるようにし、スルー画像の位置を修正する必要がない場合にはレリーズボタンを押す（Ｕ５）。ＣＰＵ２１は使用者がレリーズボタン６３を押したか否かを調べ（Ｕ６）、レリーズボタン６３が押された場合には、液晶ディスプレイ２０に表示されている画像部分（図１０（Ｄ））を切り抜いて切抜き画像メモリ１４Ａに登録する（Ｕ７）。なお、図９のステップＵ５では、使用者がカメラを動かしてスルー画像の位置を修正し、スルー画像の所望の部分が画面中央のマスクパターンに重なるようにしたが、ステップＵ５を使用者が移動キー６２（或いは、ポインティングデバイス等の入力手段）を操作してマスクパターンを移動できるように構成してもよい。
【０１１８】
　以上のようにして切抜き画像メモリ１４Ａに使用者自身が作成した切抜き画像が登録されると、後述する合成処理（実施例３，５）を行なうことができる。なお、図１０（Ｂ）は２値化されたパターンであり、この場合、切抜き画像は図１０（Ｄ）に示すように境界が明確である。これに対し、上記実施例で図１１（Ｂ）に示すような輝度加工パターンを用いて図１１（Ｄ）に示すような切抜き画像を生成すると境界がぼやけた切抜き画像を得ることができる。また、図９のステップＵ７では、液晶ディスプレイ２０に表示されている画像部分を切抜いて登録するようにしたが、撮影時点では切抜き画像として登録せずに、再生時に切抜き画像生成／登録処理を行なうようにしてもよい。
【０１１９】
　［実施例３］　貼り付け合成処理（スルー画像と切抜き画像との合成）
　本実施例は、スルー画像合成処理手段１１４の一実施例であり、スルー画像合成モード下で、スルー画像と切抜き画像メモリ１４Ａに登録された切抜き画像を合成する例である。
【０１２０】
　図１２は、図１のデジタルカメラの貼り付け合成処理動作の一実施例を示すフローチャートであり、図１３および図１４は図１２のフローチャートに基づく貼り付け合成過程の説明図である。図１２（Ａ）で、撮像モード下で使用者が所望の被写体を撮影し、被写体像をＤＲＡＭ１３に取込んでスルー画像表示する（Ｖ１）。
【０１２１】
　次に、使用者がフレームボタン６１を押すと（Ｖ２）、ＣＰＵ２１は切抜き画像メモリ１４Ａに記録されている切抜き画像の中から最初の切抜き画像を読み出してシグナルジェネレータ１６に供給し、ＶＲＡＭ１７に描画させる。ＶＲＡＭ１７には既に上記Ｖ１で取込まれたスルー画像が描画されているので、その結果、ＶＲＡＭ１７にはスルー画像と再生切抜き画像を合成した画像が描画されることになる。この合成画像がシグナルジェネレータ１６により読み出され、Ｄ／Ａ変換回路１８でＤ／Ａ変換された後、アンプ１９を介して液晶ディスプレイ２０に出力され、液晶ディスプレイ２０の所定の位置（実施例では中央）に表示される。これにより、例えば、図１３（Ａ）に示すような合成画像が得られる。なお、図１３（Ａ）で、２１はスルー画像、２２は切抜き画像、２３は背景画像の例である（Ｖ３）。
【０１２２】
　使用者は液晶ディスプレイ２０に表示された図１３（Ａ）の合成画像２０を見て、表示された切抜き画像２２が所望の切抜き画像であるか否かを判定する。いま、表示されている切抜き画像２２が所望の切抜き画像でない場合には上記Ｖ２に戻る。使用者は所望の切抜き画像との合成画像が表示されるまでフレームボタン６１を押し続ける。これにより、ＣＰＵ２１は切抜き画像メモリ１４Ａに記録されている次の切抜き画像を読み出して上述した場合と同様にして上記Ｖ３で合成画像を液晶ディスプレイ２０の所定の位置に表示する。所望の切抜き画像との合成画像が表示された場合にはＶ５に移行する（Ｖ４）。
【０１２３】
　使用者が上記Ｖ４で表示された画像を見て（例えば、構図上、図１３（Ａ）に示すように貼り付け画像２２の配置が好ましくないような場合）スルー画像２１の位置を修正する必要があると判断した場合には、使用者がカメラを移動させてアングルを調整して図１３（Ｂ）に示すようにスルー画像２１の所望の部分が画面中央の切抜き画像２２と重なるようにする。また、スルー画像２１の位置を修正する必要がない場合にはレリーズボタンを押す（Ｖ５）。
【０１２４】
　上記Ｖ５で所望の合成画像が得られた場合には、使用者は、それをフラッシュメモリ１４に記録するか否かを選択する（Ｖ６）。選択の結果、合成画像をフラッシュメモリ１４に記録するとした場合には、使用者がさらにレリーズボタン６３を操作すると（Ｖ７）、ＣＰＵ２１はＶＲＡＭ１７に現在描画されている合成画像データを読み出してフラッシュメモリ１４に記録画像の一つとして記録させる（Ｖ８）。上記Ｖ６での選択の結果、合成画像をフラッシュメモリ１４に記録しないとした場合には、この場合は単に合成画像が液晶ディスプレイ２０に表示されるだけとなる。
【０１２５】
　なお、図１２（Ａ）のステップＶ５では、使用者がカメラを移動させてスルー画像２１の位置を修正し、スルー画像の所望の部分が貼り付け画像２２に重なるようにしたが、ステップＶ５を使用者がカーソル移動キー６２、（または、ポインティングデバイス等の入力手段）を操作して切抜き画像を移動できるように構成してもよい。この場合、図１２（Ｂ）に示すようにステップＶ５で切抜き画像の位置を修正する必要がある場合には、使用者が移動キー６２のうち所定の方向に対応する移動キーを操作すると（Ｖ５'）、ＣＰＵ２１はその操作された移動キー６２に対応する方向に切抜き画像を移動／表示させＶ５に戻る（Ｖ５"）ようにし、上記Ｖ５での選択の結果、切抜き画像を修正する必要がないとした場合（Ｖ５'，Ｖ５"による修正操作の結果、ＯＫとなった場合も含む）には、Ｖ６に移行するように構成できる。
【０１２６】
　図１３（Ａ'），（Ｂ'）は切抜き画像を移動させた例であり、図１３（Ａ'）で中央にある切抜き画像２２の位置が背景に重なって背景が見えないので、移動キー６２を操作して図１３（Ｂ'）に示すように切抜き画像２２を左上方に移動させた例である。
【０１２７】
　また、本実施例では上記Ｖ８で述べたように合成画像データをフラッシュメモリー１４に記録画像の一つとして記録するよう構成したが、これに限られず、前述したリンクテーブル５０（図５）をフラッシュメモリー１４に設け、合成画像を記録する際に、記録画像とは別の画像と意味付けてリンクテーブル５０にそれら情報を登録するように構成してもよい。また、合成画像を記録する代りにリンクテーブル５０にそれら情報のみを登録し、合成画像の表示或いは外部装置への出力を行なう際にリンクテーブル５０に登録した情報を基に合成画像を再生するように構成してもよい。なお、図１３で用いた切抜き画像２２は２値化されたパターンとの合成画像であり、この場合切抜き画像２２の境界は明確である。これに対し、上記実施例で図１４に示すような輝度加工パターンとの合成画像による切抜き画像２２'を用いると切抜き画像との境界がぼやけた合成画像を得ることができる。
【０１２８】
　［実施例４］：パターン生成／登録処理（記録画像からのマスクパターン生成／登録）
　前述の実施例１ではスルー画像から所望のマスクパターンを抽出して登録したが記録画像からマスクパターンを抽出して登録することもできる。本実施例は、パターン生成／登録手段１２２の一実施例であり、記録画像合成モード下で、再生した所望の記録画像から所望の部分をマスクパターンとして抽出してマスクパターンメモリー１４Ｂに登録する例である。
【０１２９】
　図１５は、パターン生成／登録処理動作の一実施例を示すフローチャートであり、図１６は、図１５のフローチャートに基づくパターン生成／登録過程の説明図である。図１５で、使用者が再生ボタン６４を操作して再生モードに設定し、最初の記録画像を再生して表示させる。使用者は、マスクボタン６６を操作してマスクパターンとしたい被写体が含まれた画像を再生して液晶ディスプレイ２０に表示させることができる。例えば、図１６（Ａ）に示すような再生画像（この例では、パターンを描画した絵の画像）が液晶ディスプレイ２０に表示される。また、所定の操作によりＣＰＵ２１は画面の所定の位置に枠型カーソル１７１を表示する（Ｗ１）。
【０１３０】
　次に、使用者が、その再生画像を見ながら所望の像１７２を囲むようにカーソル１７１を位置付け、マスクボタン６６を操作するとＣＰＵ２１はフラッシュメモリー１４に記録されているビデオデータ（圧縮データ）からカーソル１７１の枠で囲まれた部分に相当するデータを読み出してデータ圧縮／伸張回路１５に供給する。そして、伸張処理を施されたビデオデータ（図１６（Ｂ））をＤＲＡＭ１３のワークエリアに書込む（Ｗ２）。なおＷ１でカーソル１７１より所望の像が大きい場合にはアップダウンキー６７（＋）を押してカーソル１７１を拡大させて、所望の像を囲むことができる。また、カーソル１７１にくらべ所望の像が小さ過ぎる場合にはアップダウンキー６７（−）を押してカーソル１７２を縮小させて枠の大きさを調整できる。
【０１３１】
　ここで、ＣＰＵ２１は使用者がアップダウンキー６７を操作したかを調べ（Ｗ３）、アップダウンキー６７が操作された場合にはＷ７に移行し、操作されていない場合にはワークエリアに書込まれた被写体像（画像データ）を切取ったのち、２値化処理する（Ｗ４）。２値化処理後、シグナルジェネレータ１６はこの２値化画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０には再生されたパターン化候補画像を２値化パターンに加工した結果が表示される。使用者はこの液晶ディスプレイ２０に表示された画像を見てパターン（図１６（Ｃ））を確認することができる（Ｗ５）。
【０１３２】
　ここで、ＣＰＵ２１は使用者がレリーズボタン６３を操作したかを調べ、レリーズボタン６３が操作されている場合にはＷ１２に移行し、操作されていない場合にはＷ３に戻る（Ｗ６）。上記Ｗ３でアップダウンキー６７が操作された場合には輝度成分変更操作を行なうか否かを調べ、行なわない場合にはＷ９に移行し、行なう場合にはＷ８に移行する（Ｗ７）。上記Ｗ７で、輝度成分変更操作を行なう場合には、アップダウンキー６７（＋）が押されると輝度値が高い方に所定値ずつ（本実施例では１ずつ）シフトされ、アップダウンキー６７（−）が押されると輝度値が低い方に所定値ずつ（本実施例では１ずつ）シフトされる。従って、アップダウンキー６７（＋）またはアップダウンキー６７（−）を操作することにより、パターンの輝度値を変化させることができる（Ｗ８）。
【０１３３】
　ＤＲＡＭ１３のワークエリアに書込まれたパターン候補画像の輝度成分を８ビットで取込み加工してパターン化する（Ｗ９）。アップダウンキー６７が１回操作される毎に、シグナルジェネレータ１６はこの輝度成分加工画像データをビデオデータ化してＶＲＡＭ１７に描画した後、ＶＲＡＭ１７に描画したビデオデータを読み出して液晶ディスプレイ２０に出力し表示させる。これにより、液晶ディスプレイ２０には使用者がフラッシュメモリー１４から読み出した所望のパターン化候補画像を輝度成分加工パターンに加工した結果が表示される。使用者はこの液晶ディスプレイ２０に表示された画像を見てパターン（図１６（Ｃ）'）を確認することができる（Ｗ１０）。
【０１３４】
　ここで、ＣＰＵ２１は使用者がレリーズボタン６３を操作したかを調べ、レリーズボタン６３が操作されている場合にはＷ１２に移行し、操作されていない場合にはＷ７に戻る（Ｗ１１）。ＣＰＵ２１は、上記Ｗ６またはＷ１１でレリーズボタン６３が押された場合、すなわち、所望のマスクパターン（図１６（Ｃ）または（Ｃ'））を得た場合には、表示されているパターン画像をマスクパターンとしてマスクパターンメモリー１４Ｂに登録する（Ｗ１２）。
【０１３５】
　本実施例によれば、上記Ｗ１０で得た輝度成分加工パターン画像は図１６（Ｃ'）に示すようにパターンの境界周辺がぼやけた感じのパターンとなり、図１４に示したようなぼかした感じの切り抜き画像（切抜き画像）を得ることができる。また、本実施例によれば、記録画像を再生してマスクパターンとして抽出／登録できるので、撮影し、記録保存した画像を所望の時期に取り出して簡単な操作でマスクパターンを作成することができる。
【０１３６】
　また、本実施例ではステップＷ１で図１６（Ａ）に示したような枠型カーソル１７１を表示し、Ｗ２で、再生画像のうちカーソル１７１で囲まれた部分を抽出したが、これに限られない。このような代替実施例として、
（１）ステップＷ１で点カーソルを表示し、Ｗ２で、使用者が移動キー６２を操作して画面上でカーソルを移動させて再生画像の所望部分の輪郭をなぞり、なぞられた閉鎖領域をパターン抽出した例、
（２）画面上に透明な位置検出センサーを配設しておき、タッチペン等のポインテングデバイス等で再生画像の所望部分の輪郭をなぞり、なぞられた閉鎖領域をパターン抽出した例（実施例８）。
（３）画像に含まれている複数の被写体の距離データを画像データと共に記録しておき、その画像を再生して距離を指定することにより再生画像中のある部分を特定し、それを抽出した例（実施例９）、
（４）使用者が移動キーを用いて画面上でカーソルを移動させて被写体像の輪郭をなぞって輪郭抽出処理を行ない、パターンを抽出した例、が挙げられる。
【０１３７】
　［実施例５］：記録画像合成処理（記録画像と切抜き画像の合成）
　本実施例は記録画像合成モード下で、フラッシュメモリー１４に記録されている記録画像と予め切抜き画像メモリー１４Ａに登録されたフレームの付いた切抜き画像を合成する記録画像合成手段１２４による記録画像合成の一実施例である。
【０１３８】
　図１７は本発明の記録画像合成処理動作の一実施例を示すフローチャートであり、図１８は図１７のフローチャートに基づく合成画像生成過程の説明図である。図１７で、使用者は合成する記録画像をフラッシュメモリー１４から読み出し、液晶ディスプレイ２０に表示させる。この操作は再生ボタン６４を操作して再生モードに設定し、最初の記録画像を再生して表示させ、アップダウンキー６７を操作することにより、所望の画像を再生／表示させて行なわれる（再生／表示モード）。これにより、例えば、図１８（Ａ）に示すような再生画像が液晶ディスプレイ２０に表示される（Ｓ１）。
【０１３９】
　次に、使用者がフレームボタン６１を操作すると（Ｓ２）、ＣＰＵ２１は切抜き画像メモリー１４Ａに記録されている切抜き画像の中から所定の切抜き画像を読み出し、シグナルジェネレータ１６に供給し、ＶＲＡＭ１７に描画させる。ＶＲＡＭ１７には既に上記Ｓ１で再生した記録画像が描画されているので、その結果、ＶＲＡＭ１７には再生画像と再生した切抜き画像を合成した画像が描画されることになる。この合成画像がシグナルジェネレータ１６により読み出され、Ｄ／Ａ変換回路１８でＤ／Ａ変換された後、アンプ１９を介して液晶ディスプレイ２０に出力され、表示される。これにより、例えば、図１８（Ｂ）に示すような合成画像が得られる（Ｓ３）。
【０１４０】
　使用者は液晶ディスプレイ２０に表示された合成画像を見て、表示された画像が所望の切抜き画像であるか否かを選択する。いま、表示されている画像が所望の切抜き画像でない場合には上記Ｓ２に戻り、再びフレームボタン６１を操作する。これにより、ＣＰＵ２１は切抜き画像メモリー１４Ａに記録されている次の切抜き画像を読み出して上述した場合と同様にして上記Ｓ３で液晶ディスプレイ２０に合成画像を表示する。使用者は所望の切抜き画像との合成画像が表示されるまでフレームボタン６１を押し続け、所望の切抜き画像との合成画像が表示された場合にはＳ５に移行する（Ｓ４）。
【０１４１】
　使用者は合成画像を見て、フレーム（枠）内の画像の位置を修正する必要があるか否かを選択する。選択の結果、フレーム内の画像を修正する必要がある場合にはＳ６に移行し、そうでない場合にはＳ８に移行する（Ｓ５）。上記Ｓ５でフレーム内の画像の位置を修正する必要がある場合には、使用者が移動キー６２のうち所定の方向に対応する移動キーを操作すると（Ｓ６）、ＣＰＵ２１はその操作された移動キー６２に対応する方向に再生画像を移動／表示させＳ５に戻る（Ｓ７）。例えば、図１８（Ｂ）の合成画像が表示されている状態で、移動キー６２を操作して左方向と下方向への移動を指示すると、図１８（Ｃ）に示すように切抜き画像に重畳して表示されている画像が左下方向に移動する。このように、使用者が移動キー６２を操作することで、背景画像（再生された記録画像）をフレーム内で移動させて所望の位置に位置付けることができる。なお、背景画像ではなく、切抜き画像の方を移動させるようにしてもよい。
【０１４２】
　上記Ｓ５での選択の結果、フレーム内の画像を修正する必要がないとした場合（位置修正（Ｓ６，Ｓ７）の結果、ＯＫとなった場合も含む）には、使用者は、いま液晶ディスプレイ２０に表示されている合成画像をフラッシュメモリー１４に記録するか否かを選択する（Ｓ８）。選択の結果、合成画像をフラッシュメモリー１４に記録する場合にはＳ９に移行し、そうでない場合には処理を終了させる。この場合は単に合成画像が液晶ディスプレイ２０に表示されるだけとなる。
　上記Ｓ８での選択の結果、合成画像をフラッシュメモリー１４に記録するとした場合には、使用者がさらにレリーズボタン６３を操作すると（Ｓ９）、ＣＰＵ２１はＶＲＡＭ１７に現在描画されている合成画像データを読み出してフラッシュメモリー１４に記録画像の一つとして記録させる（Ｓ１０）。
【０１４３】
　なお、本実施例では上記Ｓ１０で述べたように合成画像データを記録画像の一つとして記録するよう構成したが、これに限られず、前述したリンクテーブル５０（図５）をフラッシュメモリー１４に設け、合成画像を記録する際に、記録画像とは別の画像と意味付けてリンクテーブル５０にそれら情報を登録するように構成してもよく、また、合成画像を記録する代りにリンクテーブル５０にそれら情報のみを登録し、合成画像の表示或いは外部装置への出力する際にリンクテーブル５０に登録した情報を基に合成画像を再生するように構成してもよい。
【０１４４】
　［実施例６］：切抜き画像生成／登録処理（記録画像とマスクパターンからの切抜き画像の生成／登録）
　上記合成処理においては、切抜き画像メモリー１４Ａに予め記録されているフレーム付切抜き画像を適宜読み出し、複数の切抜き画像の中から所望の画像を選択するように構成したが、フラッシュメモリー１４に既に記憶されている記録画像を用いて切抜き画像を生成することもできる。本実施例は記録画像合成モード下で、記録画像と予め登録されたマスクパターンを適宜合成して画像を切り抜いて切抜き画像を登録する切抜き画像の生成／登録手段１２３による切抜き画像の生成／登録処理の一実施例である。
【０１４５】
　図１９は切抜き画像生成／登録処理動作の一実施例を示すフローチャートであり、図２０は図１９のフローチャートに基づく切抜き画像生成／登録過程の説明図である。図１９で、使用者が再生ボタン６４を操作して再生モードに設定し、最初の記録画像を再生して表示させ、アップダウンキー６７を操作することにより、切抜き画像としたい画像を再生し液晶ディスプレイ２０に表示させる。これにより、例えば、図２０（Ａ）に示すような記録画像が液晶ディスプレイ２０に表示される（Ｓ２１）。
【０１４６】
　次に、使用者がマスクボタン６６を操作するとＣＰＵ２１はマスクパターンメモリー１４Ｂに記憶されているマスクパターンを読み出し、シグナルジェネレータ１６を介してＶＲＡＭ１７に描画し（Ｓ２２）、ＶＲＡＭ１７に描画されたマスクパターンを読み出してＤ／Ａ変換回路１８およびアンプ１９を介して液晶ディスプレイ２０に表示する。これにより、例えば、図２０（Ｂ）に示すようなマスクパターンが液晶ディスプレイ２０に表示される。また、このときＣＰＵ２１はマスクパターンに重畳させてカーソルを表示する（Ｓ２３）。
【０１４７】
　ここで、使用者は液晶ディスプレイ２０に表示されたマスクパターンから所望のものを選択する。すなわち、図２０（Ｂ）に示されているようなカーソル（図の例では枠型カーソル）を移動キー６２を操作して所望のマスクパターン上に位置付ける。そして、選択確定のために再度マスクボタン６６を操作する（Ｓ２４）。ＣＰＵ２１は上記Ｓ２４で選択されたマスクパターンだけをＶＲＡＭ１７に送り、前記Ｓ２１で選択された再生画像に重畳させて描画する。これにより、例えば、図２０（Ｃ）に示すように図２０（Ａ）の再生画像と図２０（Ｂ）の選択されたマスクパターンとが液晶ディスプレイ２０に重畳表示される（Ｓ２５）。
【０１４８】
　次に、使用者が上記Ｓ２５で重畳表示した画像を見てマスクパターンの位置を修正する必要があると判断した場合にはＳ２７に移行し、そうでない場合にはＳ２９に移行する（Ｓ２６）。上記Ｓ２６でマスクパターンの位置を修正する必要があると判断した場合には、使用者は移動キー６２を操作して（Ｓ２７）、マスクパターンを移動させる。例えば、図２０（Ｃ）の状態で移動キー６２のうち上方向のキーを操作するとマスクパターンは図２０（Ｄ）に示すように上方に移動される（Ｓ２８）。上記Ｓ２６またはＳ２８で所望のマスクパターンと記録画像を合成した合成画像を得た場合には、この合成画像を切抜き画像としてフラッシュメモリーに登録するために使用者はレリーズボタン６３を操作する（Ｓ２９）。このとき、ＣＰＵ２１は液晶ディスプレイ２０に表示されている合成画像（図２０（Ｄ）の画像）を切り抜いて切抜き画像メモリー１４Ａに切抜き画像（パターン枠＋画像）として記録する（Ｓ３０）。
【０１４９】
　以上のようにして切抜き画像メモリー１４Ａに使用者自身が作成した切抜き画像が登録されると、図１７のフローチャートで説明したと同様の動作（実施例５参照）で切抜き画像合成処理を行なうことができる。すなわち、図１７のＳ２で、フレームボタン６１を所定回数操作すると図２０（Ｄ）に示した画像が切抜き画像メモリー１４Ａから読み出されて再生され、Ｓ３で液晶ディスプレイ２０上に再生される。したがって、予めＳ１でこの切抜き画像と合成する記録画像を再生し表示しておけば、図２０（Ｅ）に示すように自分で作成した切抜き画像を他の記録画像と合成することができる。また、これにより合成された画像もＳ９で述べたようにレリーズボタン６３を操作してフラッシュメモリー１４に記録することができる。
【０１５０】
　以上述べたように、実施例５，６では、フラッシュメモリー１４に記録されている画像および予め切抜き画像メモリー１４Ａに登録されている切抜き画像を合成でき、また、フレーム付切抜き画像は既に記録されている画像とマスクパターンとを適宜合成することにより新たに生成できる。以上により記録した画像を簡単に加工（合成）することができる。
【０１５１】
　［実施例７］
　図２１は、図１のデジタルカメラの案内枠表示処理の一実施例としての証明写真枠による証明写真撮影を例としたフローチャートであり、図２２は、図２１のフローチャートに基づく証明写真撮影過程の説明図である。
　図２１で、使用者がアップダウンキー６７を操作すると、ＣＰＵ２１はマスクパターンメモリー１４Ｂに記憶されているマスクパターンを読み出し、シグナルジェネレータ１６を介してＶＲＡＭ１７に描画し、ＶＲＡＭ１７に描画された案内枠パターンを読み出してＤ／Ａ変換回路１８およびアンプ１９を介して液晶ディスプレイ２０に表示する。これにより、例えば、図２２（Ａ）に示すような案内枠８１（この例では、運転免許写真用案内枠）として液晶ディスプレイ２０に表示される。この場合、案内枠８１は画面中央に位置付けられる（Ｘ１）。
【０１５２】
　ここで、アップダウンキー６７を更に操作すると次の案内枠が読み出され表示されるので、使用者は液晶ディスプレイ２０に表示された案内枠が所望のものか否かを判断し、所望の案内枠でない場合には所望の案内枠が現われるまでアップダウンキー６７を操作して案内枠を表示させる（Ｘ２）。
　上記Ｘ２で、所望の案内枠が表示された場合には、使用者は被撮影者８２（図２２（Ｂ））のスルー画像８２'（図２２（Ｃ），（Ｄ））が画面中央の案内枠内にきちんと入っているかどうかを調べ（Ｘ３）、案内枠内にきちんと入っている場合にはレリーズボタン６３を押し、そうでない場合にはカメラのアングルを調整して所望のスルー画像が画面中央の案内枠内にきちんと収るようにする（Ｘ４）。
【０１５３】
　ＣＰＵ２１は使用者がレリーズボタン６３を押したか否かを調べ（Ｘ５）、レリーズボタン６３が押された場合には、液晶ディスプレイ２０に表示されている被撮影者像８３（図２２（Ｅ））を切り抜いてフラッシュメモリー１４に撮影した画像として記録する（Ｘ６）。
　なお、撮影時には切り抜かないでスルー画像をそのまま記録し、後に再生画像から切り抜くようにしてもよい（すなわち、撮影の目安として用いる）。
　また、上記説明では案内枠を写真撮影用のものとしたが、マスクパターンのいずれでもよい。また、マスクパターンおよび切抜き画像はメーカ等によって予めフラッシュメモリー等の記録媒体に登録されたものでもよい。
　これにより、撮影時に案内枠を表示できるので画像の大きさをほぼ一定に揃えたり、サイズが定められている証明用の写真等を簡単に撮影できる。
【０１５４】
　［実施例８］　ポインティングデバイスまたはカーソルによる輪郭抽出の例図２３は、輪郭抽出によるマスクパターン生成の例を示す説明図である。
【０１５５】
　図２３（Ａ）は再生された記録画像であり、図１５のフローチャートのステップＷ１で使用者が選択した再生画像に相当する。図２３（Ｂ）は、図１５のフローチャートのステップＷ２に相当し、所望の画像９１（この例では熊）が表示されたあと、画像９１の顔の輪郭を記号９２で示すようにタッチペンでなぞった状態を示している。タッチペンでの抽出範囲の指定が終了し、使用者がレリーズボタン６３を操作すると、ＣＰＵ２１はタッチペンの軌跡の座標（ｘｉ，ｙｊ）から閉鎖空間を得る。そして、ワークエリアに記憶されている画像データについて閉鎖領域９３以外の部分をオフセットしたのち（Ｗ３）、２値化処理する（Ｗ４）。
　図２３（Ｃ）は、図１５のフローチャートのステップＷ５に相当し、液晶ディスプレイ２０に表示された２値化パターンに加工した結果が表示される。使用者がレリーズボタン６３を操作すると、所望のマスクパターン（図２３（Ｄ））を得たものとしてパターン画像９５をマスクパターンとしてマスクパターンメモリー１４Ｂに登録する（Ｗ１２）。
【０１５６】
　本実施例では、再生された記録画像をタッチペンでなぞったが、カーソル移動キー６２を操作してカーソルで画像９１の顔の輪郭をなぞるようにしても上述の場合とほぼ同様の動作でマスクパターンを得ることができる。また、本実施例では、再生画像の輪郭をなぞって輪郭抽出を行なったが、スルー画像についても図７のフローチャートに基づいて輪郭抽出を行なうことにより、記録画像の場合と同様に所望のマスクパターンを得ることができる。
【０１５７】
　［実施例９］　距離指定に基づくパターン生成の例
　町並みの看板などを眺めていてパターン化してみたいものがある場合がある。視野にある看板は１枚とは限られず、狭い視野に手前から奥に向って看板がながめられることがある。このような場合には、多くの看板が距離をおいてカメラの同一視野に入る。
【０１５８】
　本実施例は、同一視野内で異なる距離にある被写体をパターン化候補として１枚の記録画像とし、それを再生してそれぞれの被写体についてマスクパターン化操作を可能とする例である。
【０１５９】
　デジタルカメラがオートフォーカス機構を有している場合には、注目点（多くの場合はファインダの中心）に対してカメラの焦点を合せるようにオートフォーカス機構が動作し、焦点が決定される。ここで、被写体と撮像レンズ１との距離をａ、撮像レンズ１とＣＣＤ２の表面との距離をｂ、レンズの焦点距離をｆとすると、１／ａ＋１／ｂ＝１／ｆが成立する。
　ここで、撮像レンズ１を±Δｘ（Δｘ＜ｂ＜＜ａ）移動させると、
　１／（ａ−Δｘ）＋１／（ｂ＋Δｘ）＝１／ｆ　または、
　１／（ａ＋Δｘ）＋１／（ｂ−Δｘ）＝１／ｆ
となるが、ｂ＜＜ａであるから左辺第１項の１／（Ａ＋ΔＸ）≒１／ａとみなし得るので、１／ａ＋１／（ｂ±Δｘ）＝１／ｆ（式１）が成立する。
【０１６０】
　オートフォーカス制御により合焦状態となった時のレンズの移動距離Δｘは既知であるから、上記式１から被写体と撮像レンズ１との距離ａを算出できる。そこで、カメラを微動させて、同一視野にあるパターン候補の被写体を順次ファインダの注目点にするようにカメラを微動させて焦点を合せるようにすると、それぞれのパターン候補とレンズとの距離を得ることができる。また、オートフォーカス機構を備えていなくても測距機構を備えた撮像装置であればそれぞれのパターン候補とレンズとの距離を得ることができる。
【０１６１】
　図２４は、距離指定に基づくパターン生成動作の例を示すフローチャートであり、（ａ）は撮影時の距離データ記憶手段１１２６の動作、（ｂ）は再生時（パターン化時）の動作である。上述した方法により同一視野内のパターン化候補である被写体と撮像レンズ１との距離ａｊ（ｊ＝１〜ｎ）を得てＤＲＡＭ１３の距離データ格納領域に一時記憶させる（Ｙ１）。
【０１６２】
　使用者がレリーズボタン６３を押して撮影を行なった場合にはＹ３に移行し、そうでない場合はＹ１に戻る（Ｙ２）。
　上記Ｙ２で撮影が行なわれた場合には、画像データの記録と同時にその画像の各距離データをＤＲＡＭ１３の距離データ格納領域から読み出してリンクテーブル５０の距離欄にそれぞれ記憶させる（Ｙ３）。
　再生時に、所望の再生画像を表示する（Ｙ４）と共に、リンクテーブル５０からその画像の距離データを取り出して再生画像と共に表示する（Ｙ５）。
　使用者が移動キー６２を操作してカーソルで表示された距離のいずれかを指定し（Ｙ６）、レリーズボタン６３を押すと（Ｙ７）、その距離にある被写体像が抽出され（Ｙ８）、表示される（Ｙ９）。
【０１６３】
　使用者がマスクボタン６６を押すと（Ｙ１０）、表示された被写体像に２値化処理や輪郭抽出処理等のマスクパターン化処理（図７のＴ３〜Ｔ１１）が施され（Ｙ１１）、マスクパターンとして登録されるが（Ｙ１２）、表示された被写体像がパターン候補の他に同距離にある他の像を含んでいるような場合には、移動キー６２の操作により（Ｙ１３）、前述した輪郭抽出処理（実施例８）を行うことができる（Ｙ１４）。
【０１６４】
　輪郭抽出処理をおこなった場合にはパターン候補以外の像をオフセットしてマスクパターン化処理（Ｙ１１）に移行する（Ｙ１５）。また、このような動作を繰り返して同一画像から複数のマスクパターンを得ることができる。なお、スルー画像表示時に距離を指定してその距離にある被写体像を抽出し、マスクパターンとして登録するようにしてもよい。
【０１６５】
　［実施例１０］　カーソルまたはポインティングデバイスによる描画入力の例スルー画像合成モードまたは記録画像合成モードでダイレクトボタン６８を押すとカーソルまたはポインティングデバイスによって画面上に描いた軌跡（或いは、指定点を繋いでなる図形）をパターンとして入力させ、抽出処理の後、マスクパターンとして登録することができる。
【０１６６】
　図２５は、パターン生成手段１１２５の動作例を示すフローチャートであり、図２６は、カーソルによって描画されたパターンのマスクパターン化の説明図である。
　スルー画像合成モード下で、ダイレクトボタン６８が押された場合には（Ｚ１）、ＣＰＵ２１はタイミングジェネレータ１２を制御してシグナルジェネレータ１６への画像データの供給を遮断し、液晶ディスプレイ２０には図２６（Ａ）に示すような描画入力開始指示メッセージおよびカーソル３１０を表示する（Ｚ２）。
【０１６７】
　使用者が移動キー６２を操作して、カーソルを連続的に移動させるとカーソル移動した軌跡３１１が表示され（図２６（Ｂ））（Ｚ３）、軌跡上の座標（ｘｉ，ｙｊ）が順次ＤＲＡＭ１３のワークエリアに取込まれる（Ｚ４）。このとき、ダウンキー６７（−）を押してカーソルを移動させるとカーソルの軌跡は表示されず、その間の軌跡座標のワークエリアへの取込みは行なわれない（Ｚ５）。また、この場合、カーソルを表示された軌跡と重ねて移動させるとその線分を消去できる（図２６（Ｃ））（Ｚ６）。アップキー６７（＋）を押すとカーソルの軌跡の表示が開始され、軌跡座標のワークエリアへの取込みが再開される（Ｚ７）。
【０１６８】
　上記Ｚ５，Ｚ６を繰り返して連続線で結ばれた閉鎖領域からなる描画図形３００を形成したあと、レリーズボタン６３を押すと（Ｚ８）、直線状の連続線を直線的に整形する直線整形用のアイコン３０１、曲線状の連続線には滑らかさを与える曲線整形用のアイコン３０２，３０３および定型的な図形（例えば、円３０４、矩形３０５、楕円３０６、三角形３０７、・・等々）用のアイコンが描画された図形と共に示される（図２６（Ｅ））（Ｚ９）。
【０１６９】
　使用者は、移動キー６２を操作して、描画図形３００上の区間ＰＱ｛（ｘａ，ｙｂ）、（ｘｃ，ｙｄ）｝をカーソルで指定してから（図２６（Ｅ））、所望のアイコンを指定するとその区間が指定されたアイコンの形で整形される（図２６（Ｆ））。なお、定型的な図形にしたい場合には描画図形３００の内部領域（閉鎖両域内の一点）をポイントしてから、所望のアイコンをポイントすると定型図形となる（Ｚ１０）。
【０１７０】
　整形終了後、アップダウンキー６７を操作すると図形の拡大／縮小が行なわれる。図２６（Ｇ）には縮小されたパターン３００'が示されている（Ｚ１１，Ｚ１２）。使用者がレリーズボタン６３を押すと画面上の図形がパターンとして抽出される（Ｚ１３，Ｚ１４）。パターンが抽出されるとマスクパターン化処理（図７のステップＴ３〜Ｔ１１参照）が施され（Ｚ１５）、マスクパターン化処理終了後はマスクパターンメモリー１４Ｂに登録される（Ｚ１６）。
【０１７１】
　［実施例１１］　プレビュー画像表示の例（マスクパターンの境界がぼやけている例）
　本実施例は、登録されたマスクパターンの表示（図９のＵ３，図２１のＸ１）、切抜き用画像の移動表示（図１２のステップＶ３，図１７のステップＳ３、図１９のステップＳ２１）、および背景画像表示（図７のＴ１，図９のＵ１，図１２のステップＶ１，図１５のステップＷ１、図１７のステップＳ１）等、合成処理前に行なうプレビュー表示を高速化した例である。
【０１７２】
　画像合成ではＤＲＡＭ１３に１画面（１フレーム）分の記憶領域（ワークエリア）が設けられる。画面表示の際には、そのとき表示される１画像分の画像データが記憶されているメモリー（マスクパターンならマスクパターンメモリー１４Ｂ、切抜き画像なら切抜き画像メモリー１４Ａ、記録画像ならフラッシュメモリー１４）から読み出されて、ワークエリアに記憶される。
【０１７３】
　ここで、液晶ディスプレイ２０の画面の左上の位置の座標を（０，０）とすると、先ず、画面座標（０，０）に対応するデータがワークエリアの位置（０，０）に書込まれ、順次、画面座標（ｘｉ，ｙｊ：ｉ＝０〜ｎ−１、ｊ＝０〜ｍ−１）に対応するデータがワークエリアの位置（ｘｉ，ｙｊ）に書込まれ、やがて１画像分のデータが書込まれる。
【０１７４】
　ここで、ワークエリアに書込まれる各データの座標を、説明上、次のように定義する。
　マスクパターンデータの座標：Ｍ（ｘｉ，ｙｊ）
　切抜き画像データの座標：Ｃ（ｘｉ，ｙｊ）
　背景画像データの座標：Ｂ（ｘｉ，ｙｊ）
　表示座標（合成処理後のワークエリアでのデータの座標）：Ｗ（ｘｉ，ｙｊ）
　とし、データが８ビットで表現されるとする。
【０１７５】
　この場合、例えば、マスクパターンを選択するために切抜き元画像（背景画像）上にマスクパターンを表示する場合には、選択候補のマスクパターンと切抜き元画像との背景画像の合成処理が行なわれる。この時のマスクパターンの表示位置座標は、画像合成処理の座表計算では、
　Ｗ（ｘｉ，ｙｊ）＝Ｍ（ｘｉ，ｙｊ）×Ｂ（ｘｉ，ｙｊ）
　　　　　　　＋（２５５−Ｍ（ｘｉ，ｙｊ）×Ｃ（ｘｉ，ｙｊ））／２５５
として、決定される。ここで、数値２５５は輝度である。
【０１７６】
　なお、マスクパターンで切抜き元画像としての背景画像を切抜いて切抜き画像像を生成する場合には、背景画像を移動させながらマスクパターンと背景画像を合成て切抜き候補画像を生成／表示し、使用者が切抜き候補画像の中から所望のものを選択した場合に切抜き画像として切抜く（抽出する）ことができるが、この場合の切抜き候補画像の表示座標は、画像合成処理の座標計算では、移動量を横ｐビット，縦ｑビットとするとき、
　Ｗ（ｘｉ，ｙｊ）＝｛Ｍ（ｘｉ−ｐ，ｙｊ−ｑ）×Ｂ（ｘｉ，ｙｊ）
　　　　　　　　＋（２５５−Ｍ（ｘｉ−ｐ，ｙｊ−ｑ））
　　　　　　　　　　　　　　　　×Ｃ（ｘｉ−ｐ，ｙｊ−ｑ）｝／２５５
として、決定できる。
【０１７７】
　本実施例では表示座標を算出するためにパターン生成手段１１２５（または１２２５）や切抜き画像生成登録手段１１３（１２３）に表示座標決定用モジュールを組込んでいるが、プレビュー表示時の座標演算を高速化して画像を高速表示するために、表示座標決定用モジュールを各画像毎に次に述べるように場合分けして座標演算を行なうように構成した。
【０１７８】
(1) マスクパターン選択時にはマスクパターンの表示座標を、
　Ｍ（ｘｉ，ｙｊ）の輝度がある閾値より小さい時は、
　　　　　　　　　　　　　　　Ｗ（ｘｉ，ｙｊ）＝Ｃ（ｘｉ，ｙｊ）
　Ｍ（ｘｉ，ｙｊ）の輝度がある閾値より大きい時は、
　　　　　　　　　　　　　　　Ｗ（ｘｉ，ｙｊ）＝Ｂ（ｘｉ，ｙｊ）
として算出し、この処理を一画面分のワークエリアの領域全部（ｉ＝０〜ｎ−１，ｊ＝１〜ｍ−１）に行なう。この結果に基づいて、パターン生成登録手段１１２（１２２）や切抜き画像生成／登録手段１１３（１２３）でマスクパターンを液晶ディスプレイ２０に表示する。なお、本実施例では閾値を１２８とした。上記座標計算によれば、通常の画像合成処理時の合成速度（座表計算速度）に比べ数倍の早さでマスクパターンを表示できる。なお、この場合、マスクパターンと背景との境界が明瞭になるが、実際の合成ではなくプレビュー表示のため境界がはっきりしていても問題は生じない。
【０１７９】
(2) 切抜き画像の選択時には切抜き画像の表示座標を、
　Ｍ（ｘｉ，ｙｊ）の輝度がある閾値より小さい時は、
　　　　　　　　　　　　　　　Ｗ（ｘｉ，ｙｊ）＝Ｃ（ｘｉ＋ｐ，ｙｊ＋ｑ）
　Ｍ（ｘｉ，ｙｊ）の輝度がある閾値より大きい時は、
　　　　　　　　　　　　　　　Ｗ（ｘｉ，ｙｊ）＝Ｂ（ｘｉ，ｙｊ）
として算出し、この処理を一画面分のワークエリアの領域全部（ｉ＝０〜ｎ−１，ｊ＝１〜ｍ−１）に行なう。この結果に基づいて、パターン生成登録手段１１２（１２２）で切抜き画像を液晶ディスプレイ２０に表示する。なお、ｐ，ｑは縦，横の移動量（ドット数）である。また、本実施例では閾値を１２８とした。上記座標計算によれば、通常の画像合成処理時の合成速度（座表計算速度）に比べ数倍の早さで切抜き画像を表示できる。
【０１８０】
(3) 背景画像の表示時には背景画像（スルー画像または再生された記録画像）の表示座標は、
　生のデータのまま、すなわち、スルー画像或いは再生した記録画像の座標をそのままワークエリアに書込む。すなわち、
　Ｗ（ｘｉ，ｙｊ）＝Ｂ（ｘｉ，ｙｊ）
とし、この処理を一画面分のワークエリアの領域全部（ｉ＝０〜ｎ−１，ｊ＝１〜ｍ−１）に行なう。この結果に基づいて、パターン生成／登録手段１１２（１２２）、切抜き画像生成／登録手段１１３（１２３）、スルー画像合成手段１１４、或いは記録画像合成手段１２４で背景画像を液晶ディスプレイ２０に表示する。
【０１８１】
(4) 貼込み位置選択時（画像移動時）には切抜き画像の表示座標を、
　移動量を縦ｐドット，横ｑドットとし、貼り付け位置の中央からの移動量をｒ，ｓとすると、
　Ｍ（ｘｉ−ｒ，ｙｊ−ｐ）の輝度がある閾値より小さい時は、
　　　　　　　　　　　Ｗ（ｘｉ，ｙｊ）＝Ｃ（ｘｉ＋ｐ−ｒ，ｙｊ−ｑ＋ｓ）
　Ｍ（ｘｉ−ｒ，ｙｊ＝ｐ）の輝度がある閾値より大きい時は、
　　　　　　　　　　　Ｗ（ｘｉ，ｙｊ）＝Ｂ（ｘｉ＋ｐ−ｒ，ｙｊ−ｑ＋ｓ）
として算出し、この処理を一画面分のワークエリアの領域全部（ｉ＝０〜ｎ−１，ｊ＝１〜ｍ−１）に行なう。この結果に基づいて切抜き画像生成／登録手段１１３（１２３）で切抜き画像を貼込み位置に位置付けて液晶ディスプレイ２０に表示する。なお、本実施例では閾値を１２８とした。上記座標計算によれば、通常の画像合成処理時の合成速度（座表計算速度）に比べ数倍の早さで切抜き画像を表示できる。
【０１８２】
　［実施例１２］　合成画像の解像度の自動決定の例
　画像のデータ容量は大きく、メモリーの容量は限られているため画像をメモリーに記録する場合には画像（データ）にＪＰＥＧ圧縮処理を施して記録し、再生時に記録画像（データ）に伸張処理を施して再生している。
　画像の圧縮処理では、解像度を高くすると圧縮率が高まるが処理時間が長くなるので記録速度が遅くなり、解像度を低くすると圧縮率が低下するが処理時間が短くなるので記録速度が早くなる。
　デジタルカメラでは、通常、使用者が解像度を選ぶことができるように構成されているが、処理対象の画像の切抜き画像や背景画像の解像度はその製品の使用によって異なってくるので、合成画像の解像度の選択肢は多様となる。
【０１８３】
　本実施例では、合成画像を早く記録するために最も低い解像度に合せるものとし、解像度自動決定手段で切抜き画像メモリー１４Ａと背景画像バッファ（ＤＲＡＭ１３）に記録されている画像の解像度を比較して低い方の解像度を合成画像の解像度として決定し、決定された解像度に基づいて圧縮／伸張回路１５で合成画像を圧縮してフラッシュメモリー１４に記録する。
【０１８４】
　また、切抜き画像と背景画像との合成処理時の座標計算はプレビュー表示の場合の表示座標とは異なる。すなわち、合成処理時の座標は、移動量を縦ｐドット，横ｑドットとし、貼り付け位置の中央からの移動量をｒ，ｓとすると、
　Ｗ（ｘｉ，ｙｊ）＝Ｍ（ｘｉ−ｒ，ｙｊーｓ）×Ｂ（ｘｉ，ｙｊ）
　　　　　　　　　＋（２５５−Ｍ（ｘｉ−ｒ，ｙｊ−ｓ）
　　　　　　　　　　　×Ｃ（ｘｉ＋ｐ−ｒ，ｙｊ＋ｑ−ｓ））／２５５
として算出し、この処理を一画面分のワークエリアの領域全部（ｉ＝０〜ｎ−１，ｊ＝１〜ｍ−１）に行なうことにより合成を行なう。
　以上本発明の各実施例について説明したが、本発明は上記各実施例に限定されるものではなく、種々の変形実施が可能であることはいうまでもない。
【図面の簡単な説明】
【０１８５】
【図１】本発明の撮影装置の一実施例としてのデジタルカメラの構成例を示すブロック図である。
【図２】図１に示したキー入力部の構成例を示す図である。
【図３】図１に示したデジタルカメラの処理モードの説明図である。
【図４】画像加工手段の構成例を示すブロック図である。
【図５】リンクテーブルの構成例を示す説明図である。
【図６】撮影画像と切抜き画像との合成例の説明図である。
【図７】パターン生成／登録処理動作の一実施例を示すフローチャートである。
【図８】図７のフローチャートに基づくパターン生成／登録過程の説明図である。
【図９】切抜き画像生成／登録処理動作の一実施例を示すフローチャートである。
【図１０】図９に示したフローチャートに基づく切抜き画像生成／登録過程の説明図である。
【図１１】図９に示したフローチャートに基づく切抜き画像生成／登録過程の説明図である。
【図１２】図１に示したデジタルカメラの切抜き画像合成処理動作の一実施例を示すフローチャートである。
【図１３】図１２に示したフローチャートに基づく切抜き画像合成過程の説明図である。
【図１４】図１２に示したフローチャートに基づく切抜き画像合成過程の説明図である。
【図１５】パターン生成／登録処理動作の一実施例を示すフローチャートである。
【図１６】図１５に示したフローチャートに基づくパターン生成／登録過程の説明図である。
【図１７】図１に示したデジタルカメラの貼り付け合成処理動作の一実施例を示すフローチャートである。
【図１８】図１７に示したフローチャートに基づく合成画像生成過程の説明図である。
【図１９】切抜き画像生成／登録処理動作例を示すフローチャートである。
【図２０】図１９に示したフローチャートに基づく切抜き画像生成／登録過程の説明図である。
【図２１】図１に示したデジタルカメラの案内枠表示処理動作の一実施例としての証明写真枠による証明写真撮影を例としたフローチャートである。
【図２２】図２１に示したフローチャートに基づく証明写真撮影過程の説明図である。
【図２３】輪郭抽出によるマスクパターン生成の例を示す説明図である。
【図２４】距離指定に基づくパターン生成動作の例を示すフローチャートである。
【図２５】描画されたパターンによるパターン生成手段の動作例を示すフローチャートである。
【図２６】図２５に示したフローチャートに基づいて描画されたパターンのマスクパターン化の説明図である。
【符号の説明】
【０１８６】
１　撮像レンズ（撮像手段）
２　ＣＣＤ（撮像手段）
１４　フラッシュメモリ（撮像画像記憶手段、撮像静止画像記憶手段）
１４Ａ　切抜き画像メモリ（フレーム画像記憶手段、画像切抜きパターン記憶手段）
１４Ｂ　マスクパターンメモリ（マスク画像記憶手段、パターン記憶手段）
１６　シグナルジェネレータ（表示制御手段、記憶制御手段）
２０　液晶ディスプレイ（表示手段）
２１　ＣＰＵ（表示制御手段、記憶制御手段）
２４　キー入力部（キー入力手段）
１１２，１２２　パターン生成／登録手段（パターン生成手段）
１１３，１２３　切抜き画像生成／登録手段（切抜き画像生成手段）
１１４　スルー画像合成手段（画像合成手段、表示制御手段）
１２４　記録画像合成手段（画像合成手段、表示制御手段）
【図１】
2004140873.tif 000003
【図２】
2004140873.tif 000004
【図３】
2004140873.tif 000005
【図４】
2004140873.tif 000006
【図５】
2004140873.tif 000007
【図６】
2004140873.tif 000008
【図７】
2004140873.tif 000009
【図８】
2004140873.tif 000010
【図９】
2004140873.tif 000011
【図１０】
2004140873.tif 000012
【図１１】
2004140873.tif 000013
【図１２】
2004140873.tif 000014
【図１３】
2004140873.tif 000015
【図１４】
2004140873.tif 000016
【図１５】
2004140873.tif 000017
【図１６】
2004140873.tif 000018
【図１７】
2004140873.tif 000019
【図１８】
2004140873.tif 000020
【図１９】
2004140873.tif 000021
【図２０】
2004140873.tif 000022
【図２１】
2004140873.tif 000023
【図２２】
2004140873.tif 000024
【図２３】
2004140873.tif 000025
【図２４】
2004140873.tif 000026
【図２５】
2004140873.tif 000027
【図２６】
2004140873.tif 000028
【手続補正書】
【提出日】平成16年1月9日(2004.1.9)
【手続補正１】
【補正対象書類名】特許請求の範囲
【補正対象項目名】全文
【補正方法】変更
【補正の内容】
【特許請求の範囲】
【請求項１】
　被写体を撮像し撮像画像を出力する撮像手段と、
　前記撮像手段から出力された撮像画像を記憶する撮像画像記憶手段と、
　前記撮像画像の部分画像を所定の形状で切り出すための異なる形状を有する複数の画像切り抜きパターンを記憶する画像切り抜きパターン記憶手段と、
　前記画像切り抜きパターン記憶手段に記憶されている複数の画像切り抜きパターンの中から所望の形状を有する画像切り抜きパターンを選択する画像切り抜きパターン選択手段と、
　前記画像切り抜きパターン選択手段により選択された画像切り抜きパターンを用いて前記撮像画像記憶手段に記憶されている撮像画像の対応部分を切抜くことにより選択された画像切り抜きパターンの形状を有する切抜き画像を生成する切抜き画像生成手段と、
　前記切抜き画像生成手段により生成された切抜き画像を所望の画像に合成する画像合成手段と
　を有することを特徴とする撮像装置。
【請求項２】
　前記画像合成手段により生成された合成画像を記録する記録手段を備えたことを特徴とする請求項１記載の撮像装置。
【請求項３】
　前記画像合成手段により生成された合成画像を表示する表示手段を備えたことを特徴とする請求項１又は２記載の撮像装置。
【請求項４】
　前記画像合成手段により生成された合成画像を記録する記録手段と、
　前記画像合成手段により生成された合成画像の前記記録手段への記録を指示する記録指示手段と、
　前記記録指示手段により記録が指示された場合に前記合成画像を前記記録手段に記録する記録制御手段とを備えたことを特徴とする請求項１記載の撮像装置。
【請求項５】
　前記画像合成手段により生成された合成画像を表示する表示手段を備え、
　前記記録制御手段は、前記表示手段に合成画像が表示されている状態で前記記録指示手段により記録が指示された場合に前記合成画像を前記記録手段に記録することを特徴とする請求項４記載の撮像装置。
【請求項６】
　前記切抜き画像生成手段により生成された切抜き画像を複数記憶する切抜き画像記憶手段と、
　この切抜き画像記憶手段に記憶されている複数の切抜き画像の中から所望の切抜き画像を選択する切抜き画像選択手段とを備え、
　前記画像合成手段は、前記切抜き画像選択手段により選択された切抜き画像を所望の画像に合成することを特徴とする請求項１乃至５のいずれかに記載の撮像装置。
【請求項７】
　前記所望の画像上の任意の位置を指定する指定手段を備え、
　前記画像合成手段は、前記切抜き画像生成手段により生成された切抜き画像を、前記指定手段により指定された所望の画像上の任意の位置に合成することを特徴とする請求項１乃至６のいずれかに記載の撮像装置。
【請求項８】
　前記画像切り抜きパターン選択手段により選択された画像切り抜きパターンを前記撮像画像記憶手段に記憶されている撮像画像に合成する画像切り抜きパターン合成手段と、
　この画像切り抜きパターン合成手段により生成された合成画像を表示する表示手段とを備え、
　前記切抜き画像生成手段は、前記表示手段に表示されている画像切り抜きパターンにより指定されている領域の画像を切抜くことにより切抜き画像を生成することを特徴とする請求項１記載の撮像装置。
【請求項９】
　前記撮像画像記憶手段に記憶されている撮像画像上の任意の位置を指定する指定手段を備え、
　前記画像切り抜きパターン合成手段は、前記画像切り抜きパターンを前記指定手段により指定された撮像画像上の任意の位置に合成することを特徴とする請求項８記載の撮像装置。
【請求項１０】
　前記切抜き画像生成手段により生成された切抜き画像を記録する記録手段と、
　前記切抜き画像生成手段により生成された切抜き画像の前記記録手段への記録を指示する記録指示手段と、
　前記記録指示手段により記録が指示された場合に前記切抜き画像を前記記録手段に記録する記録制御手段とを備えたことを特徴とする請求項１記載の撮像装置。
【請求項１１】
　前記画像切り抜きパターン選択手段により選択された画像切り抜きパターンを前記撮像画像記憶手段に記憶されている撮像画像に合成する画像切り抜きパターン合成手段と、
　この画像切り抜きパターン合成手段により生成された合成画像を表示する表示手段とを備え、
　前記切抜き画像生成手段は、前記表示手段に合成画像が表示されている状態で前記記録指示手段により記録が指示された場合に、前記表示手段に表示されている画像切り抜きパターンにより指定されている領域の画像を切抜くことにより切抜き画像を生成し、
　前記記録制御手段は、前記表示手段に合成画像が表示されている状態で前記記録指示手段により記録が指示された場合に前記切抜き画像を前記記録手段に記録することを特徴とする請求項１０記載の撮像装置。
【請求項１２】
　前記撮像画像記憶手段に記憶されている撮像画像上の任意の位置を指定する指定手段を備え、
　前記切抜き画像生成手段は、前記画像切り抜きパターンを用いて前記指定手段により指定された撮像画像上の任意の位置の画像を切抜くことにより選択された画像切り抜きパターンの形状を有する切抜き画像を生成することを特徴とする請求項１記載の撮像装置。
【請求項１３】
　記憶されている、撮像画像の部分画像を所定の形状で切り出すための異なる形状を有する複数の画像切り抜きパターンの中から所望の形状を有する画像切り抜きパターンを選択する工程と、
　選択された画像切り抜きパターンを用いて撮像画像の対応部分を切抜くことにより選択された画像切り抜きパターンの形状を有する切抜き画像を生成する工程と、
　生成された切抜き画像を所望の画像に合成して合成画像を得る工程と
　を有することを特徴とする撮像画像加工方法。
【手続補正２】
【補正対象書類名】明細書
【補正対象項目名】０００６
【補正方法】変更
【補正の内容】
【０００６】
　上記の目的を達成するために本発明の撮像装置は、被写体を撮像し撮像画像を出力する撮像手段と、前記撮像手段から出力された撮像画像を記憶する撮像画像記憶手段と、前記撮像画像の部分画像を所定の形状で切り出すための異なる形状を有する複数の画像切り抜きパターンを記憶する画像切り抜きパターン記憶手段と、前記画像切り抜きパターン記憶手段に記憶されている複数の画像切り抜きパターンの中から所望の形状を有する画像切り抜きパターンを選択する画像切り抜きパターン選択手段と、前記画像切り抜きパターン選択手段により選択された画像切り抜きパターンを用いて前記撮像画像記憶手段に記憶されている撮像画像の対応部分を切抜くことにより選択された画像切り抜きパターンの形状を有する切抜き画像を生成する切抜き画像生成手段と、前記切抜き画像生成手段により生成された切抜き画像を所望の画像に合成する画像合成手段とを有することを特徴とする。
【手続補正３】
【補正対象書類名】明細書
【補正対象項目名】０００７
【補正方法】変更
【補正の内容】
【０００７】
　また、前記画像合成手段により生成された合成画像を記録する記録手段を備えるようにしてもよい。
【手続補正４】
【補正対象書類名】明細書
【補正対象項目名】０００８
【補正方法】変更
【補正の内容】
【０００８】
　また、前記画像合成手段により生成された合成画像を表示する表示手段を備えるようにしてもよい。
【手続補正５】
【補正対象書類名】明細書
【補正対象項目名】０００９
【補正方法】変更
【補正の内容】
【０００９】
　また、前記画像合成手段により生成された合成画像を記録する記録手段と、前記画像合成手段により生成された合成画像の前記記録手段への記録を指示する記録指示手段と、前記記録指示手段により記録が指示された場合に前記合成画像を前記記録手段に記録する記録制御手段とを備えるようにしてもよい。
【手続補正６】
【補正対象書類名】明細書
【補正対象項目名】００１０
【補正方法】変更
【補正の内容】
【００１０】
　また、前記画像合成手段により生成された合成画像を表示する表示手段を備え、前記記録制御手段は、前記表示手段に合成画像が表示されている状態で前記記録指示手段により記録が指示された場合に前記合成画像を前記記録手段に記録するようにしてもよい。
【手続補正７】
【補正対象書類名】明細書
【補正対象項目名】００１１
【補正方法】変更
【補正の内容】
【００１１】
　また、前記切抜き画像生成手段により生成された切抜き画像を複数記憶する切抜き画像記憶手段と、この切抜き画像記憶手段に記憶されている複数の切抜き画像の中から所望の切抜き画像を選択する切抜き画像選択手段とを備え、前記画像合成手段は、前記切抜き画像選択手段により選択された切抜き画像を所望の画像に合成するようにしてもよい。
【手続補正８】
【補正対象書類名】明細書
【補正対象項目名】００１２
【補正方法】変更
【補正の内容】
【００１２】
　また、前記所望の画像上の任意の位置を指定する指定手段を備え、前記画像合成手段は、前記切抜き画像生成手段により生成された切抜き画像を、前記指定手段により指定された所望の画像上の任意の位置に合成するようにしてもよい。
【手続補正９】
【補正対象書類名】明細書
【補正対象項目名】００１３
【補正方法】変更
【補正の内容】
【００１３】
　また、前記画像切り抜きパターン選択手段により選択された画像切り抜きパターンを前記撮像画像記憶手段に記憶されている撮像画像に合成する画像切り抜きパターン合成手段と、この画像切り抜きパターン合成手段により生成された合成画像を表示する表示手段とを備え、前記切抜き画像生成手段は、前記表示手段に表示されている画像切り抜きパターンにより指定されている領域の画像を切抜くことにより切抜き画像を生成ようにしてもよい。
【手続補正１０】
【補正対象書類名】明細書
【補正対象項目名】００１４
【補正方法】変更
【補正の内容】
【００１４】
　また、前記撮像画像記憶手段に記憶されている撮像画像上の任意の位置を指定する指定手段を備え、前記画像切り抜きパターン合成手段は、前記画像切り抜きパターンを前記指定手段により指定された撮像画像上の任意の位置に合成するようにしてもよい。
【手続補正１１】
【補正対象書類名】明細書
【補正対象項目名】００１５
【補正方法】変更
【補正の内容】
【００１５】
　また、前記切抜き画像生成手段により生成された切抜き画像を記録する記録手段と、前記切抜き画像生成手段により生成された切抜き画像の前記記録手段への記録を指示する記録指示手段と、前記記録指示手段により記録が指示された場合に前記切抜き画像を前記記録手段に記録する記録制御手段とを備えるようにしてもよい。
【手続補正１２】
【補正対象書類名】明細書
【補正対象項目名】００１６
【補正方法】変更
【補正の内容】
【００１６】
　また、前記画像切り抜きパターン選択手段により選択された画像切り抜きパターンを前記撮像画像記憶手段に記憶されている撮像画像に合成する画像切り抜きパターン合成手段と、この画像切り抜きパターン合成手段により生成された合成画像を表示する表示手段とを備え、前記切抜き画像生成手段は、前記表示手段に合成画像が表示されている状態で前記記録指示手段により記録が指示された場合に、前記表示手段に表示されている画像切り抜きパターンにより指定されている領域の画像を切抜くことにより切抜き画像を生成し、前記記録制御手段は、前記表示手段に合成画像が表示されている状態で前記記録指示手段により記録が指示された場合に前記切抜き画像を前記記録手段に記録するようにしてもよい。
【手続補正１３】
【補正対象書類名】明細書
【補正対象項目名】００１７
【補正方法】変更
【補正の内容】
【００１７】
　また、前記撮像画像記憶手段に記憶されている撮像画像上の任意の位置を指定する指定手段を備え、前記切抜き画像生成手段は、前記画像切り抜きパターンを用いて前記指定手段により指定された撮像画像上の任意の位置の画像を切抜くことにより選択された画像切り抜きパターンの形状を有する切抜き画像を生成するようにしてもよい。
【手続補正１４】
【補正対象書類名】明細書
【補正対象項目名】００１８
【補正方法】変更
【補正の内容】
【００１８】
　また、上記の目的を達成するために本発明の撮像画像加工方法は、記憶されている、撮像画像の部分画像を所定の形状で切り出すための異なる形状を有する複数の画像切り抜きパターンの中から所望の形状を有する画像切り抜きパターンを選択する工程と、選択された画像切り抜きパターンを用いて撮像画像の対応部分を切抜くことにより選択された画像切り抜きパターンの形状を有する切抜き画像を生成する工程と、生成された切抜き画像を所望の画像に合成して合成画像を得る工程と
　を有することを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
　本発明の撮像装置および撮像画像加工方法によれば、予めパターンをフラッシュメモリ等の記憶手段に登録しておき、所望の撮像画像と登録されているパターン内の所望のものと合成して合成部分を生成して、所望の画像にその切抜き画像を合成した画像を簡単に得ることができる。これにより、あるパターンの形をした画像を他の画像に簡単に貼り込むといった画像加工が従来のようなパーソナルコンピュータ等の画像処理装置で行なう場合に比べて極めて簡単な操作で行なうことができる。
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】